(57)【要約】  眼科機器は、光源と、前記光源からの光を被検者の右眼網膜及び／又は左眼網膜に導く光学系と、前記光が前記右眼網膜及び／又は前記左眼網膜に照射されることで前記右眼網膜及び／又は前記左眼網膜の視野検査が行われるように前記光学系を制御する制御部と、を含む。
2019050048.tif 000002
【特許請求の範囲】
【請求項１】
光源と、制御部と、を有する制御装置と、
前記光源からの光を右眼網膜に導く右眼用光学系と、前記光源からの光を左眼網膜に導く左眼用光学系と、を有する光学系を備えたアイウエア端末と、を含み、
前記アイウエア端末と前記制御装置は、前記光源からの光を前記アイウエア端末に供給する光ファイバを含むケーブルで接続されており、
前記制御部は、視野検査用の複数のマーク投影位置情報に基づいて前記光学系を制御することで視野検査を実行する
眼科機器。
【請求項２】
前記制御部は、前記マーク投影位置情報に基づいて、視野検査光が前記視野検査の検査対象眼の網膜に照射されるように前記光源及び前記光学系を制御する請求項１に記載の眼科機器。
【請求項３】
制御部を有する制御装置と、
右眼用光源からの光である右眼用光を被検者の右眼網膜に導き、且つ、左眼用光源からの光である左眼用光を前記被検者の左眼網膜に導く光学系を備えたアイウエア端末と、を含み、
前記右眼用光源からの前記右眼用光及び前記左眼用光源からの前記左眼用光を前記アイウエア端末に供給する光ファイバを含むケーブルで、前記アイウエア端末と前記制御装置は接続されており、
前記制御部は、視野検査用の複数のマーク投影位置情報に基づいて前記光学系を制御するための制御信号を前記ケーブルで前記アイウエア端末に送信し、視野検査を実行する
眼科機器。
【請求項４】
右眼用光源と、左眼用光源と、前記右眼用光源からの光である右眼用光を被検者の右眼網膜に導き、且つ、前記左眼用光源からの光である左眼用光を前記被検者の左眼網膜に導く光学系と、前記右眼用光源、前記左眼用光源、及び前記光学系を視野検査用の複数のマーク投影位置情報に基づいて制御する制御部と、を有するアイウエア端末
を含む眼科機器。
【請求項５】
前記光学系は、視野検査に用いられる光源に基づく光である視野検査光を前記右眼網膜に対して走査する右眼用スキャナと、前記視野検査に用いられる光源に基づく光である視野検査光を前記左眼網膜に対して走査する左眼用スキャナと、を有する請求項１から請求項４の何れか１項に記載の眼科機器。
【請求項６】
被検眼の前眼部を撮影する前眼部カメラを更に含み、
前記右眼用スキャナは、前記視野検査光を前記右眼網膜に導く右眼用反射部材を有し、
前記左眼用スキャナは、前記視野検査光を前記左眼網膜に導く左眼用反射部材を有し、
前記制御部は、前記前眼部カメラにより撮影されて得られた前眼部画像に基づいて瞳孔間距離を検出し、検出した前記瞳孔間距離に基づいて前記右眼用反射部材及び／又は左眼用反射部材の位置を制御する請求項５に記載の眼科機器。
【請求項７】
前記前眼部カメラは、右眼の前眼部を撮影する右眼用カメラ、及び左眼の前眼部を撮影する左眼用カメラである請求項６に記載の眼科機器。
【請求項８】
前記制御部と接続されている応答部を更に含み、
前記制御部は、前記応答部によって受け付けられた応答情報と前記マーク投影位置情報とを組み合わせて、外部装置に送信する請求項１から請求項７の何れか１項に記載の眼科機器。
【請求項９】
眼科機器とデータの送受信を行う通信部と、
前記通信部によって前記眼科機器に送信される送信データを生成し、前記通信部によって受信された受信データを処理する処理部と、
前記眼科機器を用いた視野検査の結果を示す検査結果情報を取得する取得部と、を含み、
前記眼科機器は、光源と、光学系と、制御部と、応答部と、を含み、
前記光学系は、前記光源からの光を被検者の右眼網膜に導く右眼用光学系と、前記光源からの光を左眼網膜に導く左眼用光学系と、を含み、
前記制御部は、前記光学系を制御し、
前記応答部は、前記眼科機器のユーザが前記光源からの光を知覚したことに応答する場合の前記ユーザによる操作を受け付け、
前記送信データは、少なくとも被検者の両眼のうちの前記視野検査の検査対象眼を指示する指示情報を含み、
前記受信データは、前記視野検査の進捗情報と、前記応答部の応答信号と、を少なくとも含む
管理装置。
【請求項１０】
前記視野検査の進捗状況に応じた進捗状況画面を生成し、生成した前記進捗状況画面を含む画像を示す画像信号を出力する表示制御部を更に含む請求項９に記載の管理装置。
【請求項１１】
前記画像信号に基づいて前記進捗状況画面を表示する表示部を更に含む請求項１０に記載の管理装置。
【請求項１２】
前記眼科機器は、ウエアラブル型眼科機器であり、
前記ウエアラブル型眼科機器は複数台存在し、
前記通信部は、前記ウエアラブル型眼科機器の各々と通信を行うことで、前記ウエアラブル型眼科機器の各々に対して前記指示情報を送信し、
前記取得部は、前記通信部を介して前記ウエアラブル型眼科機器の各々と通信を行うことで、前記ウエアラブル型眼科機器の各々から前記検査結果情報を取得する請求項９から請求項１１の何れか１項に記載の管理装置。
【請求項１３】
眼科機器の管理方法であって、
被検者の両眼のうちの前記眼科機器を用いた視野検査の検査対象眼を指示する指示情報を送信するステップと、
前記視野検査の結果を示す検査結果情報を取得するステップと、を含み、
前記眼科機器は、
光源と、応答部と、制御部と、を有する制御装置と、
前記光源からの光を右眼網膜に導く右眼用光学系と、前記光源からの光を左眼網膜に導く左眼用光学系と、を有する光学系を備えたアイウエア端末と、を含み、
前記アイウエア端末と前記制御装置は、前記光源からの光を前記アイウエア端末に供給する光ファイバを含むケーブルで接続されており、
前記制御部は、前記光学系を制御し、
前記応答部は、前記眼科機器のユーザが前記光源からの光を知覚したことに応答する場合の前記ユーザによる操作を受け付ける
眼科機器の管理方法。
【発明の詳細な説明】
【技術分野】
【０００１】
本開示の技術は、眼科機器、管理装置、及び眼科機器の管理方法に関する。
【背景技術】
【０００２】
本明細書において、眼科とは、眼に対処する医学の分科を指す。また、本明細書において、ＳＬＯとは、“Ｓｃａｎｎｉｎｇ  Ｌａｓｅｒ  Ｏｐｈｔｈａｌｍｏｓｃｏｐｅ”の略称を指す。また、本明細書において、ＯＣＴとは、“Ｏｐｔｉｃａｌ  Ｃｏｈｅｒｅｎｃｅ  Ｔｏｍｏｇｒａｐｈ”の略称を指す。【０００３】
特開２０１６−２２１５０号公報には、照射光学系と、生体情報検出部と、評価情報生成部と、制御部と、を含む視機能検査装置が開示されている。【０００４】
特開２０１６−２２１５０号公報に記載の視機能検査装置において、照射光学系は、レーザ光源から出力されたレーザ光の光路に配置された光スキャナを含み、光スキャナを経由したレーザ光を被検眼の網膜に照射する。また、生体情報検出部は、レーザ光の照射に対する被検者の反応を表す生体情報を反復的に検出する。また、制御部は、生体情報の反復的な検出が行われているときに、網膜の一の刺激点へのレーザ光の照射強度を単調的に変化させるように照射光学系を制御する。【０００５】
また、特開２０１６−２２１５０号公報に記載の視機能検査装置において、評価情報生成部は、検出された生体情報に基づいて、被検眼の視機能に関する評価情報を生成する。具体的には、評価情報生成部は、レーザ光の照射強度の単調的な変化に応じた生体情報の時系列変化に基づいて、一の刺激点における感度情報を生成する。また、評価情報生成部は、網膜の複数の刺激点のそれぞれについて生成された感度情報に基づいて、複数の刺激点における感度情報の分布を評価情報として生成する。
【発明の概要】
【０００６】
本開示の技術の第１態様に係る眼科機器は、光源と、制御部と、を有する制御装置と、前記光源からの光を右眼網膜に導く右眼用光学系と、前記光源からの光を左眼網膜に導く左眼用光学系と、を有する光学系を備えたアイウエア端末と、を含み、前記アイウエア端末と前記制御装置は、前記光源からの光を前記アイウエア端末に供給する光ファイバを含むケーブルで接続されており、前記制御部は、視野検査用の複数のマーク投影位置情報に基づいて前記光学系を制御することで視野検査を実行する。
【０００７】
本開示の技術の第２態様に係る眼科機器は、制御部を有する制御装置と、右眼用光源からの光である右眼用光を被検者の右眼網膜に導き、且つ、左眼用光源からの光である左眼用光を前記被検者の左眼網膜に導く光学系を備えたアイウエア端末と、を含み、前記右眼用光源からの前記右眼用光及び前記左眼用光源からの前記左眼用光を前記アイウエア端末に供給する光ファイバを含むケーブルで、前記アイウエア端末と前記制御装置は接続されており、前記制御部は、視野検査用の複数のマーク投影位置情報に基づいて前記光学系を制御するための制御信号を前記ケーブルで前記アイウエア端末に送信し、視野検査を実行する。
【０００８】
本開示の技術の第３態様に係る眼科機器は、右眼用光源と、左眼用光源と、前記右眼用光源からの光である右眼用光を被検者の右眼網膜に導き、且つ、前記左眼用光源からの光である左眼用光を前記被検者の左眼網膜に導く光学系と、前記右眼用光源、前記左眼用光源、及び前記光学系を視野検査用の複数のマーク投影位置情報に基づいて制御する制御部と、を有するアイウエア端末を含む。
【０００９】
本開示の技術の第４態様に係る管理装置は、眼科機器とデータの送受信を行う通信部と、前記通信部によって前記眼科機器に送信される送信データを生成し、前記通信部によって受信された受信データを処理する処理部と、前記眼科機器を用いた視野検査の結果を示す検査結果情報を取得する取得部と、を含み、前記眼科機器は、光源と、光学系と、制御部と、応答部と、を含み、前記光学系は、前記光源からの光を被検者の右眼網膜に導く右眼用光学系と、前記光源からの光を左眼網膜に導く左眼用光学系と、を含み、前記制御部は、前記光学系を制御し、前記応答部は、前記眼科機器のユーザが前記光源からの光を知覚したことに応答する場合の前記ユーザによる操作を受け付け、前記送信データは、少なくとも被検者の両眼のうちの前記視野検査の検査対象眼を指示する指示情報を含み、前記受信データは、前記視野検査の進捗情報と、前記応答部の応答信号と、を少なくとも含む。
【００１０】
本開示の技術の第５態様に係る眼科機器の管理方法は、眼科機器の管理方法であって、被検者の両眼のうちの前記眼科機器を用いた視野検査の検査対象眼を指示する指示情報を送信するステップと、前記視野検査の結果を示す検査結果情報を取得するステップと、を含み、前記眼科機器は、光源と、応答部と、制御部と、を有する制御装置と、前記光源からの光を右眼網膜に導く右眼用光学系と、前記光源からの光を左眼網膜に導く左眼用光学系と、を有する光学系を備えたアイウエア端末と、を含み、前記アイウエア端末と前記制御装置は、前記光源からの光を前記アイウエア端末に供給する光ファイバを含むケーブルで接続されており、前記制御部は、前記光学系を制御し、前記応答部は、前記眼科機器のユーザが前記光源からの光を知覚したことに応答する場合の前記ユーザによる操作を受け付ける。
【図面の簡単な説明】
【００１１】
【図１】第１実施形態に係る眼科システムの全体構成の一例を示す概念図である。
【図２】第１実施形態に係る眼科システムに含まれるウエアラブル端末装置の構成の一例を示す平面視概略構成図である。
【図３】第１実施形態に係る眼科システムに含まれるウエアラブル端末装置及び管理装置の電気系のハードウェア構成の一例を示すブロック図である。
【図４】第１及び第２実施形態に係る眼科システムに含まれるサーバ装置及びビューワの電気系のハードウェア構成の一例を示すブロック図である。
【図５】第１実施形態に係る眼科システムのウエアラブル端末装置に含まれるレーザ光源の構成の一例を示す概略構成図である。
【図６】第１実施形態に係る眼科システムのウエアラブル端末装置に含まれる光分岐部の構成の一例を示す概略構成図である。
【図７Ａ】第１及び第２実施形態に係る端末管理処理の流れの一例を示すフローチャートである。
【図７Ｂ】図７Ａに示すフローチャートの続きである。
【図８】第１及び第２実施形態に係る端末側処理の流れの一例を示すフローチャートである。
【図９Ａ】第１実施形態に係る端末側処理に含まれる視野検査処理の流れの一例を示すフローチャートである。
【図９Ｂ】図９Ａに示すフローチャートの続きである。
【図１０】第１及び第２実施形態に係るサーバ側処理の流れの一例を示すフローチャートである。
【図１１】第１及び第２実施形態に係る表示制御処理の流れの一例を示すフローチャートである。
【図１２】第１及び第２実施形態に係る通信エラー対応処理の流れの一例を示すフローチャートである。
【図１３】第１及び第２実施形態に係る表示制御処理が実行されることでディスプレイに表示される進行状況画面の態様の一例を示す概略画面図である。
【図１４】第１実施形態に係る眼科システムの要部機能の一例を示すブロック図である。
【図１５】第１実施形態に係る眼科システムに含まれるウエアラブル端末装置と管理装置とサーバ装置とビューワとの間の主なやり取りの一例を示すシーケンス図である。
【図１６】第１実施形態に係る眼科システムを複数の患者に適用した場合の院内での処置の流れと従来の視野検査装置を複数の患者に適用した場合の院内での処置の流れとの対比例を示す状態遷移図である。
【図１７】第２実施形態に係る眼科システムに含まれるウエアラブル端末装置の構成の一例を示す平面視概略構成図である。
【図１８】第２実施形態に係る眼科システムに含まれるウエアラブル端末装置及び管理装置の電気系のハードウェア構成の一例を示すブロック図である。
【図１９】第２実施形態に係る端末側処理に含まれる視野検査処理の流れの一例を示すフローチャートである。
【図２０】第１及び第２実施形態に係る眼科システムの変形例を示す概念図である。
【図２１】第１及び第２実施形態に係る端末側プログラムがウエアラブル端末装置にインストールされる態様の一例を示す概念図である。
【図２２】第１及び第２実施形態に係る管理装置側プログラムが管理装置にインストールされる態様の一例を示す概念図である。
【図２３】第２実施形態に係る眼科システムの要部機能の一例を示すブロック図である。
【発明を実施するための形態】
【００１２】
以下、添付図面に従って本開示の技術に係る実施形態の一例について説明する。
【００１３】
先ず、以下の説明で使用される用語の意味について説明する。以下の説明において、ＭＥＭＳとは、“Ｍｉｃｒｏ  Ｅｌｅｃｔｒｏ  Ｍｅｃｈａｎｉｃａｌ  Ｓｙｓｔｅｍｓ”の略称を指す。また、以下の説明において、Ｉ／Ｆとは、“Ｉｎｔｅｒｆａｃｅ”の略称を指す。また、以下の説明において、Ｉ／Ｏとは、インプット・アウトプット・インタフェースの略称を指す。また、以下の説明において、ＵＳＢとは、“ｕｎｉｖｅｒｓａｌ  ｓｅｒｉａｌ  ｂｕｓ”の略称を指す。また、以下の説明において、ＩＤとは、“ＩＤｅｎｔｉｆｉｃａｔｉｏｎ”の略称を指す。
【００１４】
また、以下の説明において、ＣＰＵとは、“Ｃｅｎｔｒａｌ  Ｐｒｏｃｅｓｓｉｎｇ  Ｕｎｉｔ”の略称を指す。また、以下の説明において、ＲＡＭとは、“Ｒａｎｄｏｍ  Ａｃｃｅｓｓ  Ｍｅｍｏｒｙ”の略称を指す。また、以下の説明において、ＨＤＤとは、“Ｈａｒｄ  Ｄｉｓｋ  Ｄｒｉｖｅ”の略称を指す。また、以下の説明において、ＥＥＰＲＯＭとは、“Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ”の略称を指す。また、以下の説明において、ＳＳＤとは、“Ｓｏｌｉｄ  Ｓｔａｔｅ  Ｄｒｉｖｅ”の略称を指す。また、以下の説明において、ＤＶＤ−ＲＯＭとは、“Ｄｉｇｉｔａｌ  Ｖｅｒｓａｔｉｌｅ  Ｄｉｓｃ  Ｒｅａｄ  Ｏｎｌｙ  Ｍｅｍｏｒｙ”の略称を指す。
【００１５】
また、以下の説明において、ＡＳＩＣとは、“Ａｐｐｌｉｃａｔｉｏｎ  Ｓｐｅｃｉｆｉｃ  Ｉｎｔｅｇｒａｔｅｄ  Ｃｉｒｃｕｉｔ”の略称を指す。また、以下の説明において、ＦＰＧＡとは、“Ｆｉｅｌｄ−Ｐｒｏｇｒａｍｍａｂｌｅ  Ｇａｔｅ  Ａｒｒａｙ”の略称を指す。また、以下の説明において、“ＰＬＤ”とは、“Ｐｒｏｇｒａｍｍａｂｌｅ  Ｌｏｇｉｃ  Ｄｅｖｉｃｅ”の略称を指す。また、以下の説明において、ＬＡＮとは、“Ｌｏｃａｌ  Ａｒｅａ  Ｎｅｔｗｏｒｋ”の略称を指す。
【００１６】
また、本実施形態において、左右方向とは、例えば、患者の右眼の瞳孔の中心と左眼の瞳孔の中心とを通る直線の方向を指す。なお、以下では、説明の便宜上、「左右方向」を「Ｘ方向」とも称し、被検眼の瞳孔の中心から被検眼の後極に向かう方向を「Ｚ方向」と称し、Ｘ方向及びＺ方向の双方に対して垂直な方向を「Ｙ方向」と称する。
【００１７】
［第１実施形態］
一例として図１に示すように、眼科システム１０は、患者に対する視野の検査（以下、単に「視野検査」と称する）に供するシステムである。本実施形態では、視野検査が、患者（被検者）の被検眼の網膜にレーザ光を照射することで実現される。なお、レーザ光は、本開示の技術に係る「光源からの光」及び「視野検査に用いられる光源に基づく光である視野検査光」の一例である。
【００１８】
眼科システム１０は、複数台のウエアラブル端末装置１２と、管理装置１４と、サーバ装置１５と、ビューワ１７と、を含む。なお、ウエアラブル端末装置１２は、本開示の技術に係る眼科機器及びウエアラブル型眼科機器の一例である。
【００１９】
ウエアラブル端末装置１２は、本開示の技術に係るアイウエア端末の一例であるアイウエア端末装置１６、制御装置１８、及び光分岐部２０を含む。
【００２０】
アイウエア端末装置１６は、患者に装着される眼鏡型の端末装置の一種である。ここで言う「患者」とは、眼底に疾患を有する患者を指す。なお、患者は、本開示の技術に係る被検者の一例である。
【００２１】
アイウエア端末装置１６は、一般的な眼鏡と同様に、リム２２及びテンプル２４を備えている。また、アイウエア端末装置１６は、光学系２７を備えている。
【００２２】
リム２２は、光学系２７を保持している。テンプル２４は、左側テンプル２４Ｌと右側テンプル２４Ｒとに大別される。左側テンプル２４Ｌの一端部は、リム２２の左端部に取り付けられており、右側テンプル２４Ｒは、リム２２の右端部に取り付けられている。
【００２３】
左側テンプル２４Ｌは、耳掛け部２４Ｌ１を有する。右側テンプル２４Ｒは、耳掛け部２４Ｒ１を有する。耳掛け部２４Ｌ１は、患者の左耳に掛けられ、耳掛け部２４Ｒ１は、患者の右耳に掛けられる。
【００２４】
耳掛け部２４Ｌ１には、スピーカ１４０が設けられている。スピーカ１４０は、制御装置１８の制御下で、音声を出力する。スピーカ１４０は、患者の鼓膜に音波を直接当てるスピーカであってもよいし、振動を患者の鼓膜に間接的に伝達する骨伝導式のスピーカであってもよい。なお、スピーカ１４０は、患者の聴覚に働きかけることで患者に情報を通知する通知部の一例である。
【００２５】
制御装置１８は、例えば、患者が把持したり、患者が自身の衣服又は身体等に装着したりして用いられる。制御装置１８は、応答ボタン１９を備えている。なお、応答ボタン１９は、本開示の技術に係る応答部の一例である。ここでは、応答ボタン１９を例示しているが、本開示の技術はこれに限定されない。例えば、応答ボタン１９に代えてタッチパネルを用いてもよいし、患者がレーザ光を知覚したことに応答する場合の患者の音声をマイクで取得し、マイクで取得した音声を認識する音声認識装置を用いてもよい。この場合、タッチパネル及び音声認識装置は、患者からの働きかけに応じて、後述する応答情報を出力する。
【００２６】
応答ボタン１９は、患者によって操作され、患者による操作に応じた情報を出力する。応答ボタン１９は、レーザ光が被検眼４４（図２参照）の網膜４６（図２参照）に照射された場合にレーザ光を患者が知覚したか否かの操作を受け付ける。換言すると、応答ボタン１９は、患者がレーザ光を知覚したことに応答する場合の患者による操作を受け付ける。すなわち、応答ボタンの応答情報とマーク投影位置情報とを対応させる処理を行う。
【００２７】
応答ボタン１９は、医療サービス者の問い掛けに対して患者が応える場合に患者によって押下されることもある。なお、ここで言う「医療サービス者」とは、例えば、眼科で医師の指示のもとに視能検査を行う視機能訓練士の資格を持った医療技術者を指す。応答ボタン１９と制御装置１８とは無線及び／又は有線通信可能に接続されており、応答ボタン１９が操作されたことによる応答情報が制御装置１８に送信される。なお、制御装置１８には１つの応答ボタン１９が機器番号などの番号で対応付けられている。無線通信としては、例えば、Ｗｉ−Ｆｉ（登録商標）又はＢｌｕｅｔｏｏｔｈ（登録商標）等による通信が挙げられる。有線通信としては、ケーブルによる通信が挙げられる。
【００２８】
制御装置１８は、管理装置１４に対して無線通信可能な状態で接続されており、管理装置１４と各種情報の授受を行う。制御装置１８は、ケーブル２５を介して光分岐部２０に接続されており、光分岐部２０を制御する。なお、制御装置１８は、管理装置１４に対して無線通信可能な状態で接続されていてもよい。
【００２９】
ケーブル２５は、光ファイバ３０及びバスライン３２を含む。制御装置１８は、光ファイバ３０を介して光分岐部２０にレーザ光を供給し、バスライン３２を介して光分岐部２０を制御する。
【００３０】
光学系２７は、光分岐部２０を備えている。光分岐部２０は、ケーブル３４，３６を介してアイウエア端末装置１６に接続されている。ケーブル３４は、右側テンプル２４Ｒに接続されており、ケーブル３６は、左側テンプル２４Ｌに接続されている。ケーブル３４，３６は共にバスライン３２を含む。従って、制御装置１８は、バスライン３２を介してアイウエア端末装置１６と各種電気信号の授受を行う。
【００３１】
ケーブル３４は、光ファイバ３８を含み、ケーブル３６は、光ファイバ４０を含む。光分岐部２０は、制御装置１８から光ファイバ３０介して供給されたレーザ光を光ファイバ３８及び／又は光ファイバ４０に分岐させる。光分岐部２０により分岐されて得られた一方のレーザ光は、光ファイバ３８を介してアイウエア端末装置１６に供給され、光分岐部２０により分岐されて得られた他方のレーザ光は、光ファイバ４０を介してアイウエア端末装置１６に供給される。
【００３２】
光学系２７は、反射ミラー４２を備えている。反射ミラー４２は、本開示の技術に係る反射部材の一例である。反射ミラー４２は、光分岐部２０からケーブル３４，３６を介して供給されたレーザ光を反射させることで、一例として図２に示すように、レーザ光を患者の被検眼４４の網膜４６に導く。なお、一例として図２に示すように、被検眼４４は、右眼４４Ｒと左眼４４Ｌとに大別される。また、網膜４６は、本開示の技術に係る右側網膜の一例である網膜４６Ｒと、本開示の技術に係る左側網膜の一例である網膜４６Ｌとに大別される。
【００３３】
反射ミラー４２は、右眼用反射ミラー４２Ｒと左眼用反射ミラー４２Ｌとに大別される。右眼用反射ミラー４２Ｒは、アイウエア端末装置１６が正しく装着された状態の患者の右眼４４Ｒの前方に位置するようにリム２２に保持されている。左眼用反射ミラー４２Ｌは、アイウエア端末装置１６が正しく装着された状態の患者の左眼４４Ｌの前方に位置するようにリム２２に保持されている。
【００３４】
右眼用反射ミラー４２Ｒは、光分岐部２０から光ファイバ３８を介して供給されたレーザ光を反射させることで、一例として図２に示すように、レーザ光を患者の右眼４４Ｒの網膜４６Ｒに導く。左眼用反射ミラー４２Ｌは、光分岐部２０から光ファイバ４０を介して供給されたレーザ光を反射させることで、一例として図２に示すように、患者の左眼４４Ｌの網膜４６Ｌに導く。
【００３５】
アイウエア端末装置１６は、右眼用インカメラ４８Ｒ及び左眼用インカメラ４８Ｌを備えている。右眼用インカメラ４８Ｒ及び左眼用インカメラ４８Ｌは、制御装置１８の制御下で、被写体を撮影する。
【００３６】
右眼用インカメラ４８Ｒ及び左眼用インカメラ４８Ｌは、リム２２の上縁部に取り付けられている。右眼用インカメラ４８Ｒは、Ｙ方向において右眼用反射ミラー４２Ｒとずれた位置に設けられており、右眼４４Ｒの前方領域の斜め上方から被写体として右眼４４Ｒの前眼部を撮影する。左眼用インカメラ４８Ｌは、Ｙ方向において左眼用反射ミラー４２Ｌとずれた位置に設けられており、左眼４４Ｌの前方領域の斜め上方から被写体として左眼４４Ｌの前眼部を撮影する。なお、右眼用インカメラ４８Ｒ及び左眼用インカメラ４８Ｌは、本開示の技術に係る前眼部カメラの一例である。また、ここでは、右眼用インカメラ４８Ｒ及び左眼用インカメラ４８Ｌを例示したが、本開示の技術はこれに限定されない。例えば、右眼用インカメラ４８Ｒ及び左眼用インカメラ４８Ｌに代えて、右眼４４Ｒの前眼部と左眼４４Ｌの前眼部との双方を撮影する単一のカメラを適用してもよい。
【００３７】
管理装置１４は、複数台のウエアラブル端末装置１２の各々による視野検査の管理を一元的に行う。ここで、ウエアラブル端末装置１２による視野検査とは、換言すると、ウエアラブル端末装置１２を用いた視野検査を意味する。また、ここで、視野検査の管理とは、例えば、視野検査に用いられるレーザ光の管理と、レーザ光が網膜４６に照射されることで、照射されたレーザ光を患者が視覚的に知覚したことを示す知覚情報の管理と、を含む管理を指す。
【００３８】
制御装置１８は、管理装置１４からの指示に従って、レーザ光を、光ファイバ３０，３８，４０を介してアイウエア端末装置１６に供給する。
【００３９】
なお、本実施形態では、ウエアラブル端末装置１２と管理装置１４との間で無線通信が行われる例を挙げて説明しているが、本開示の技術はこれに限定されるものではない。例えば、ウエアラブル端末装置１２と管理装置１４との間で有線通信が行われるようにしてもよい。
【００４０】
サーバ装置１５は、管理装置１４及び／又はビューワ１７等の外部装置からの要求に応じた情報の提供及び／又は情報処理を行い、且つ、複数の患者の個人情報を一元的に管理する。サーバ装置１５は、ケーブル２３を介して管理装置１４に接続されており、管理装置１４との間で各種情報の授受を行う。ケーブル２３の一例としては、ＬＡＮケーブルが挙げられる。なお、本実施形態では、サーバ装置１５と管理装置１４との間で有線通信が行われる場合を例示しているが、本開示の技術はこれに限定されるものではなく、サーバ装置１５と管理装置１４との間で無線通信が行われるようにしてもよい。
【００４１】
一例として図２に示すように、光学系２７は、レーザ光を網膜４６Ｒ及び／又は網膜４６Ｌに導く。光学系２７は、スキャナ２８及び反射ミラー４２を有する。スキャナ２８は、制御装置１８から光分岐部２０を介いて供給されたレーザ光を走査する。反射ミラー４２は、スキャナ２８により走査されたレーザ光を網膜４６に反射させる。
【００４２】
光学系２７は、右眼用光学系２７Ｒと左眼用光学系２７Ｌとを有する。光分岐部２０は、制御装置１８から光ファイバ３０を介して供給されたレーザ光を右眼用光学系２７Ｒと左眼用光学系２７Ｌとに分岐させる。
【００４３】
右眼用光学系２７Ｒは、光分岐部２０から光ファイバ３８を介して供給されたレーザ光を網膜４６Ｒに導く。左眼用光学系２７Ｌは、光分岐部２０から光ファイバ４０を介して供給されたレーザ光を網膜４６Ｌに導く。
【００４４】
スキャナ２８は、右眼用スキャナ２８Ｒと左眼用スキャナ２８Ｌとを有する。右眼用光学系２７Ｒは、右眼用スキャナ２８Ｒと右眼用反射ミラー４２Ｒとを有する。左眼用光学系２７Ｌは、左眼用スキャナ２８Ｌと左眼用反射ミラー４２Ｌとを有する。
【００４５】
右眼用スキャナ２８Ｒは、ＭＥＭＳミラー５４，５６及び右眼用反射ミラー４２Ｒを有し、光分岐部２０から光ファイバ３８を介して供給されたレーザ光を走査する。右眼用照射部５２は、光分岐部２０から光ファイバ３８を介して供給されたレーザ光を照射する。右眼用照射部５２によるレーザ光の照射方向には、ＭＥＭＳミラー５４が配置されており、ＭＥＭＳミラー５４は、右眼用照射部５２から照射されたレーザ光を反射させることで、ＭＥＭＳミラー５６に導く。ＭＥＭＳミラー５６は、ＭＥＭＳミラー５４によって導かれたレーザ光を反射させることで、右眼用反射ミラー４２Ｒに導く。
【００４６】
ここで、例えば、ＭＥＭＳミラー５４はＹ方向にレーザ光を走査し、ＭＥＭＳミラー５６はＸ方向にレーザ光を走査する。ＭＥＭＳミラー５４，５６により網膜に対して二次元走査が可能となり、映像を二次元走査して網膜へ投影することが可能となる。
【００４７】
なお、ＭＥＭＳミラー５４をＸ方向の走査とし、ＭＥＭＳミラー５６をＹ方向の走査とするようにしてもよいことは言うまでもない。
【００４８】
更に、右眼用スキャナ２８Ｒは、反射ミラー４２ＲとＸＹ方向に走査可能なＭＥＭＳミラー５６とするようにしてもよい。
【００４９】
右眼用反射ミラー４２Ｒは、右眼用スキャナ２８Ｒにより走査されたレーザ光を網膜４６Ｒに反射させる。
【００５０】
右眼用反射ミラー４２Ｒは、湾曲面４２Ｒ１を有する。湾曲面４２Ｒ１は、アイウエア端末装置１６が装着された状態の患者の右眼４４Ｒから見て凹状に形成された面であり、ＭＥＭＳミラー５６によって導かれたレーザ光を反射させることで、右眼４４Ｒの瞳孔下の水晶体６４Ｒを通して右眼４４Ｒの網膜４６Ｒにレーザ光を導く。
【００５１】
左眼用スキャナ２８Ｌは、ＭＥＭＳミラー６０，６２及び左眼用反射ミラー４２Ｌを有し、光分岐部２０から光ファイバ４０を介して供給されたレーザ光を走査する。左眼用照射部５８は、光分岐部２０から光ファイバ４０を介して供給されたレーザ光を照射する。左眼用照射部５８によるレーザ光の照射方向には、ＭＥＭＳミラー６０が配置されており、ＭＥＭＳミラー６０は、左眼用照射部５８から照射されたレーザ光を反射させることで、ＭＥＭＳミラー６２に導く。ＭＥＭＳミラー６２は、ＭＥＭＳミラー６０によって導かれたレーザ光を反射させることで、左眼用反射ミラー４２Ｌに導く。
【００５２】
ここで、例えば、ＭＥＭＳミラー６０はＹ方向にレーザ光を走査し、ＭＥＭＳミラー６２はＸ方向にレーザ光を走査する。ＭＥＭＳミラー６０，６２により網膜に対して二次元走査が可能となり、映像を二次元走査して網膜へ投影することが可能となる。
【００５３】
なお、ＭＥＭＳミラー６０をＸ方向の走査、ＭＥＭＳミラー６２をＹ方向の走査とするようにしてもよいことは言うまでもない。
【００５４】
更に、左眼用スキャナ２８Ｌは、反射ミラー４２ＬとＸＹ方向に走査可能なＭＥＭＳミラー５６とするようにしてもよい。
【００５５】
図２に示す例では、ＭＥＭＳミラー５４，５６，６０，６２が例示されているが、本開示の技術はこれに限定されるものではない。例えば、ＭＥＭＳミラー５４，５６，６０，６２に代えて、又は、ＭＥＭＳミラー５４，５６，６０，６２のうちの少なくとも１つと共に、ガルバノミラー及び／又はポリゴンミラー等の、電気的に反射面の位置を制御可能なミラーを用いてもよい。
【００５６】
左眼用反射ミラー４２Ｌは、左眼用スキャナ２８Ｌにより走査されたレーザ光を網膜４６Ｌに反射させる。
【００５７】
左眼用反射ミラー４２Ｌは、湾曲面４２Ｌ１を有する。湾曲面４２Ｌ１は、アイウエア端末装置１６が装着された状態の患者の左眼４４Ｌから見て凹状に形成された面であり、ＭＥＭＳミラー６２によって導かれたレーザ光を反射させることで、左眼４６Ｒの瞳孔下の水晶体６４Ｌを通して左眼４４Ｌの網膜４６Ｌにレーザ光を導く。
【００５８】
なお、以下では、説明の便宜上、水晶体６４Ｒ，６４Ｌを区別して説明する必要がない場合、「水晶体６４」と称する。
【００５９】
光学系２７は、右眼用スライド機構７０Ｒ、左眼用スライド機構７０Ｌ、右眼用駆動源７２Ｒ、及び左眼用駆動源７２Ｌを備えている。右眼用駆動源７２Ｒ及び左眼用駆動源７２Ｌの一例としては、ステッピングモータ、ソレノイド、又は圧電素子などが挙げられる。なお、以下では、説明の便宜上、右眼用駆動源７２Ｒ及び左眼用駆動源７２Ｌを区別して説明する必要がない場合、「ミラー駆動源７２」と称する。
【００６０】
右眼用スライド機構７０Ｒは、リム２２に取り付けられており、右眼用反射ミラー４２Ｒを左右方向にスライド可能に保持している。右眼用スライド機構７０Ｒは、右眼用駆動源７２Ｒに接続されており、右眼用駆動源７２Ｒによって生成された動力を受けることで、右眼用反射ミラー４２Ｒを左右方向にスライドさせる。
【００６１】
左眼用スライド機構７０Ｌは、リム２２に取り付けられており、左眼用反射ミラー４２Ｌを左右方向にスライド可能に保持している。左眼用スライド機構７０Ｌは、左眼用駆動源７２Ｌに接続されており、左眼用駆動源７２Ｌによって生成された動力を受けることで、左眼用反射ミラー４２Ｌを左右方向にスライドさせる。
【００６２】
なお、本実施形態に係る眼科システム１０では、マックスウェル視光学系によって被検眼４４の網膜４６に対してレーザ光に基づく映像が投影される。ここで言う「マックスウェル視光学系」とは、被検眼４４の瞳孔下の水晶体６４でレーザ光が収束され、水晶体６４で収束されたレーザ光が被検眼４４の網膜４６に照射されることで、レーザ光に基づく映像が被検眼４４の網膜４６に投影される光学系を指す。本実施形態に係る眼科システム１０では、スキャナ２８及びミラー駆動源７２が制御装置１８によって制御されることで、マックスウェル視光学系が実現される。
【００６３】
一例として図３に示すように、管理装置１４は、主制御部８０、無線通信部８２、受付デバイス８４、タッチパネル・ディスプレイ８６、及び外部Ｉ／Ｆ８８を備えている。
【００６４】
主制御部８０は、ＣＰＵ９０、一次記憶部９２、二次記憶部９４、バスライン９６、及びＩ／Ｏ９８を含む。ＣＰＵ９０、一次記憶部９２、及び二次記憶部９４は、バスライン９６を介して接続されている。バスライン９６には、Ｉ／Ｏ９８が接続されている。なお、本実施形態では、ＣＰＵ９０として単数のＣＰＵを採用しているが、ＣＰＵ９０に代えて複数のＣＰＵを採用してもよい。
【００６５】
ＣＰＵ９０は、管理装置１４の全体を制御する。一次記憶部９２は、各種プログラムの実行時のワークエリア等として用いられる揮発性のメモリであり、一次記憶部９２の一例としては、ＲＡＭが挙げられる。二次記憶部９４は、管理装置１４の基本的な動作を制御するプログラム及び各種パラメータ等を記憶する不揮発性のメモリである。二次記憶部９４の一例としては、ＨＤＤ、ＥＥＰＲＯＭ、又はフラッシュメモリ等が挙げられる。
【００６６】
無線通信部８２は、Ｉ／Ｏ９８に接続されている。ＣＰＵ９０は、制御装置１８への送信対象とされる電気信号を無線通信部８２に出力する。無線通信部８２は、ＣＰＵ９０から入力された電気信号を電波で制御装置１８に送信する。また、無線通信部８２は、制御装置１８からの電波を受信し、受信した電波に応じた電気信号をＣＰＵ９０に出力する。
【００６７】
なお、無線通信部１１２は、本開示の技術に係る通信部の一例である。すなわち、無線通信部８２は、ウエアラブル端末装置１２に対して、ウエアラブル端末装置１２を制御する制御情報であって、患者の両眼のうちの眼科検査の検査対象眼を指示する指示情報を有する制御情報をウエアラブル端末装置１２に対して送信する。
【００６８】
受付デバイス８４は、タッチパネル８４Ａ、キーボード８４Ｂ、及びマウス８４Ｃを含み、タッチパネル８４Ａ、キーボード８４Ｂ、及びマウス８４Ｃは、Ｉ／Ｏ９８に接続されている。従って、ＣＰＵ９０は、タッチパネル８４Ａ、キーボード８４Ｂ、及びマウス８４Ｃの各々によって受け付けられた各種指示を把握することができる。
【００６９】
外部Ｉ／Ｆ８８は、サーバ装置１５、パーソナル・コンピュータ、及び／又はＵＳＢメモリ等の外部装置に接続され、外部装置とＣＰＵ９０との間の各種情報の送受信を司る。なお、図３に示す例では、外部Ｉ／Ｆ８８は、ケーブル２３を介してサーバ装置１５に接続されている。
【００７０】
タッチパネル・ディスプレイ８６は、ディスプレイ８６Ａ及びタッチパネル８４Ａを含む。ディスプレイ８６Ａは、本開示の技術に係る表示部の一例である。ディスプレイ８６Ａは、Ｉ／Ｏ９８に接続されており、ＣＰＵ９０の制御下で、映像を含む各種情報を表示する。タッチパネル８４Ａは、透過型のタッチパネルであり、ディスプレイ８６Ａに重ねられている。
【００７１】
二次記憶部９４は、端末管理プログラム９４Ａ、表示制御プログラム９４Ｂ、及び通信エラー対応プログラム９４Ｃを記憶している。以下では、説明の便宜上、端末管理プログラム９４Ａ、表示制御プログラム９４Ｂ、及び通信エラー対応プログラム９４Ｃを区別して説明する必要がない場合、これらを「管理装置側プログラム」と称する。
【００７２】
ＣＰＵ９０は、二次記憶部９４から管理装置側プログラムを読み出し、読み出した管理装置側プログラムを一次記憶部９２に展開する。そして、ＣＰＵ９０は、一次記憶部９２に展開した管理装置側プログラムを実行する。
【００７３】
制御装置１８は、前述した応答ボタン１９の他に、主制御部１１０、無線通信部１１２、レーザ光源１１４、及び光源制御回路１１６を備えている。
【００７４】
主制御部１１０は、ＣＰＵ１２０、一次記憶部１２２、二次記憶部１２４、バスライン１２６、及びＩ／Ｏ１２８を含む。ＣＰＵ１２０、一次記憶部１２２、及び二次記憶部１２４は、バスライン１２６を介して接続されている。バスライン１２６には、Ｉ／Ｏ１２８が接続されている。なお、本実施形態では、ＣＰＵ１２０として単数のＣＰＵを採用しているが、ＣＰＵ１２０に代えて複数のＣＰＵを採用してもよい。
【００７５】
ＣＰＵ１２０は、ウエアラブル端末装置１２の全体を制御する。一次記憶部１２２は、各種プログラムの実行時のワークエリア等として用いられる揮発性のメモリであり、一次記憶部１２２の一例としては、ＲＡＭが挙げられる。二次記憶部１２４は、ウエアラブル端末装置１２の基本的な動作を制御するプログラム及び各種パラメータ等を記憶する不揮発性のメモリである。二次記憶部１２４の一例としては、ＨＤＤ、ＥＥＰＲＯＭ、又はフラッシュメモリ等が挙げられる。
【００７６】
応答ボタン１９は、Ｉ／Ｏ１２８に接続されており、応答ボタン１９が押下されると、応答信号が応答ボタン１９からＣＰＵ１２０に出力される。
【００７７】
無線通信部１１２は、ウエアラブル端末装置１２による視野検査の管理を管理装置１４に対して行わせるように管理装置１４との間で無線通信を行う。無線通信部１１２は、Ｉ／Ｏ１２８に接続されている。ＣＰＵ１２０は、管理装置１４への送信対象とされる電気信号を無線通信部１１２に出力する。無線通信部１１２は、ＣＰＵ１２０から入力された電気信号を電波で管理装置１４に送信する。また、無線通信部１１２は、管理装置１４からの電波を受信し、受信した電波に応じた電気信号をＣＰＵ１２０に出力する。
【００７８】
レーザ光源１１４は、光ファイバ３０を介して光分岐部２０に接続されている。レーザ光源１１４は、レーザ光を生成し、生成したレーザ光を、光ファイバ３０を介して光分岐部２０に射出する。
【００７９】
レーザ光源１１４は、光源制御回路１１６に接続されている。光源制御回路１１６は、Ｉ／Ｏ１２８に接続されている。光源制御回路１１６は、ＣＰＵ１２０の指示に従って光源制御信号をレーザ光源に供給することで、レーザ光源１１４を制御する。
【００８０】
一例として図５に示すように、レーザ光源１１４は、Ｒ光源１１４Ａ、Ｇ光源１１４Ｂ、Ｂ光源１１４Ｃ、及びミラーユニット１３０を備えている。
【００８１】
Ｒ光源１１４Ａは、Ｒ（赤色）、Ｇ（緑色）、及びＢ（青色）のうちのＲのレーザ光であるＲレーザ光を射出する。Ｇ光源１１４Ｂは、Ｒ、Ｇ、及びＢのうちのＧのレーザ光であるＧレーザ光を射出する。Ｂ光源１１４Ｃは、Ｒ、Ｇ、及びＢのうちのＢのレーザ光であるＢレーザ光を射出する。なお、ここでは、レーザ光源１１４がＲ光源１１４Ａ、Ｇ光源１１４Ｂ、及びＢ光源１１４Ｃを備えている場合を例示しているが、本開示の技術はこれに限定されるものではない。例えば、レーザ光源１１４は、ＩＲ光源（図示省略）を備えていてもよい。ここで、「ＩＲ」とは、“ｎｅａｒ−ｉｎｆｒａｒｅｄ”の略称を意味する。ＩＲ光源は、ＳＬＯ及び／又はＯＣＴによる撮影用のレーザ光である近赤外光を射出する。
【００８２】
ミラーユニット１３０は、第１ミラー１３０Ａ、第２ミラー１３０Ｂ、及び第３ミラー１３０Ｃを備えている。第１ミラー１３０Ａ、第２ミラー１３０Ｂ、及び第３ミラー１３０Ｃのうち、第２ミラー１３０Ｂは、ダイクロイックミラーであり、Ｂレーザ光を透過させ、且つ、Ｇレーザ光を反射する。第３ミラー１３０Ｃは、ダイクロイックミラーであり、Ｒレーザ光を透過させ、且つ、Ｇレーザ光及びＢレーザ光を反射する。
【００８３】
第１ミラー１３０Ａは、Ｂ光源１１４ＣによるＢレーザ光の射出方向に配置されており、Ｂ光源１１４Ｃから射出されたＢレーザ光を反射させることで、第２ミラー１３０ＢにＢレーザ光を導く。
【００８４】
第２ミラー１３０Ｂは、Ｇ光源１１４ＢによるＧレーザ光の射出方向であり、且つ、第１ミラー１３０Ａで反射されたＢレーザ光の進行方向に配置されている。第２ミラー１３０Ｂは、Ｇ光源１１４Ｂから射出されたＧレーザ光を反射させることで、第１ミラー１３０ＡにＧレーザ光を導き、且つ、第１ミラー１３０Ａで反射されたＢレーザ光を透過させることで、第１ミラー１３０ＡにＢレーザ光を導く。
【００８５】
第３ミラー１３０Ｃは、Ｒ光源１１４ＡによるＲレーザ光の射出方向であり、且つ、第２ミラー１３０Ｂで反射されたＧレーザ光の進行方向であり、且つ、第２ミラー１３０Ｂを透過したＧレーザ光の進行方向に配置されている。第３ミラー１３０Ｃは、Ｒ光源１１４Ａから射出されたＲレーザ光を透過させる。また、第３ミラー１３０Ｃは、Ｒレーザ光と同方向にＧレーザ光及びＢレーザ光を反射させることで、Ｒレーザ光、Ｇレーザ光及びＢレーザ光を外部に射出する。なお、本実施形態では、説明の便宜上、レーザ光源１１４から外部に射出されるＲレーザ光、Ｇレーザ光、及びＢレーザ光を、単に「レーザ光」と称する。
【００８６】
一例として図３に示すように、バスライン３２は、Ｉ／Ｏ１２８に接続されており、光分岐部２０は、バスライン３２に接続されている。従って、光分岐部２０は、ＣＰＵ１２０の制御下で動作する。
【００８７】
一例として図６に示すように、光分岐部２０は、右眼用シャッタ１２１Ｒ、左眼用シャッタ１２１Ｌ、第１スライド機構１２２Ｒ、第２スライド機構１２２Ｌ、第１シャッタ用駆動源１３４Ｒ、第２シャッタ用駆動源１３４Ｌ、ビームスプリッタ１３６、及び反射ミラー１３８を備えている。
【００８８】
なお、以下では、説明の便宜上、右眼用シャッタ１２１Ｒ及び左眼用シャッタ１２１Ｌを区別して説明する必要がない場合、「シャッタ１２１」と称する。
【００８９】
ビームスプリッタ１３６は、レーザ光源１１４から光ファイバ１３０を介して供給されたレーザ光を反射させ、且つ、透過させる。ビームスプリッタ１３６で反射したレーザ光である左眼用レーザ光は、光ファイバ４０（図１及び図２参照）の入口に向けて進行する。
【００９０】
反射ミラー１３８は、ビームスプリッタ１３６を透過したレーザ光を反射する。反射ミラー１３８で反射したレーザ光である右眼用レーザ光は、光ファイバ３８（図１及び図２参照）の入口に向けて進行する。
【００９１】
第１スライド機構１２２Ｒは、右眼用シャッタ１２１Ｒを第１位置Ｐ１と第２位置Ｐ２との間でスライド可能に保持している。第１位置Ｐ１とは、右眼用レーザ光を通過させて光ファイバ３８の入口に導く位置を指し、第２位置Ｐ２とは、右眼用レーザ光を遮蔽する位置を指す。
【００９２】
第２スライド機構１２２Ｌは、左眼用シャッタ１２１Ｌを第３位置Ｐ３と第４位置Ｐ４との間でスライド可能に保持している。第３位置Ｐ３とは、左眼用レーザ光を通過させて光ファイバ４０の入口に導く位置を指し、第４位置Ｐ４とは、左眼用レーザ光を遮蔽する位置を指す。
【００９３】
第１シャッタ用駆動源１３４Ｒ及び第２シャッタ用駆動源１３４Ｌの一例としては、ステッピングモータ、ソレノイド、又は圧電素子などが挙げられる。第１シャッタ用駆動源１３４Ｒ及び第２シャッタ用駆動源１３４Ｌは、バスライン３２に接続されており、第１シャッタ用駆動源１３４Ｒ及び第２シャッタ用駆動源１３４Ｌは、ＣＰＵ１２０の制御下で作動する。
【００９４】
第１スライド機構１２２Ｒは、第１シャッタ用駆動源１３４Ｒに接続されており、第１シャッタ用駆動源１３４Ｒによって生成された動力を受けることで右眼用シャッタ１２１Ｒを第１位置Ｐ１と第２位置Ｐ２との間でスライドさせる。
【００９５】
第２スライド機構１２２Ｌは、第２シャッタ用駆動源１３４Ｌに接続されており、第２シャッタ用駆動源１３４Ｌによって生成された動力を受けることで左眼用シャッタ１２１Ｌを第３位置Ｐ３と第４位置Ｐ４との間でスライドさせる。
【００９６】
なお、図６に示す例では、右眼用シャッタ１２１Ｒが第１位置Ｐ１に配置されているので、右眼用レーザ光は光ファイバ３８に供給され、左眼用シャッタ１２１Ｌが第４位置Ｐ４に配置されているので、左眼用レーザ光は左眼用シャッタ１２１Ｌによって遮蔽される。
【００９７】
一例として図３に示すように、スピーカ１４０は、バスライン３２に接続されており、ＣＰＵ１２０の制御下で音声を出力する。
【００９８】
バスライン３２には、右眼用駆動源７２Ｒ及び左眼用駆動源７２Ｌが接続されており、ＣＰＵ１２０は、右眼用駆動源７２Ｒ及び左眼用駆動源７２Ｌを制御する。
【００９９】
バスライン３２には、右眼用インカメラ４８Ｒ及び左眼用インカメラ４８Ｌが接続されており、ＣＰＵ１２０は、左眼用インカメラ４８Ｌ及び右眼用インカメラ４８Ｒとの間で各種情報の授受を行う。
【０１００】
バスライン３２には、右眼用照射部５２、左眼用照射部５８、及びＭＥＭＳミラー５４，５６，６０，６２が接続されており、ＣＰＵ１２０は、右眼用照射部５２、左眼用照射部５８、及びＭＥＭＳミラー５４，５６，６０，６２を制御する。
【０１０１】
バスライン３２には、装着検出器１３９が接続されている。装着検出器１３９は、例えば、感圧センサである。装着検出器１３９は、アイウエア端末装置１６のフレームに設けられており、アイウエア端末装置１６が正しく装着されたことを検出する。ＣＰＵ１２０は、装着検出器１３９での検出結果を取得する。なお、アイウエア端末装置３５０のフレームとは、例えば、リム２２及びテンプル２４を指す。
【０１０２】
二次記憶部１２４は、端末側プログラム１２４Ａを記憶している。ＣＰＵ１２０は、二次記憶部１２４から端末側プログラム１２４Ａを読み出し、読み出した端末側プログラム１２４Ａを一次記憶部１２２に展開する。そして、ＣＰＵ１２０は、一次記憶部１２２に展開した端末側プログラム１２４Ａを実行する。
【０１０３】
一例として図４に示すように、サーバ装置１５は、主制御部１５０、受付デバイス１５４、タッチパネル・ディスプレイ１５６、及び外部Ｉ／Ｆ１５８を備えている。
【０１０４】
主制御部１５０は、ＣＰＵ１６０、一次記憶部１６２、二次記憶部１６４、バスライン１６６、及びＩ／Ｏ１６８を含む。ＣＰＵ１６０、一次記憶部１６２、及び二次記憶部１６４は、バスライン１６６を介して接続されている。バスライン１６６には、Ｉ／Ｏ１６８が接続されている。なお、本実施形態では、ＣＰＵ１６０として単数のＣＰＵを採用しているが、ＣＰＵ１６０に代えて複数のＣＰＵを採用してもよい。
【０１０５】
ＣＰＵ１６０は、サーバ装置１５の全体を制御する。一次記憶部１６２は、各種プログラムの実行時のワークエリア等として用いられる揮発性のメモリであり、一次記憶部１６２の一例としては、ＲＡＭが挙げられる。二次記憶部１６４は、サーバ装置１６４の基本的な動作を制御するプログラム及び各種パラメータ等を記憶する不揮発性のメモリである。二次記憶部１６４の一例としては、ＨＤＤ、ＥＥＰＲＯＭ、又はフラッシュメモリ等が挙げられる。
【０１０６】
受付デバイス１５４は、タッチパネル１５４Ａ、キーボード１５４Ｂ、及びマウス１５４Ｃを含み、タッチパネル１５４Ａ、キーボード１５４Ｂ、及びマウス１５４Ｃは、Ｉ／Ｏ１６８に接続されている。従って、ＣＰＵ１６０は、タッチパネル１５４Ａ、キーボード１５４Ｂ、及びマウス１５４Ｃの各々によって受け付けられた各種指示を把握することができる。
【０１０７】
外部Ｉ／Ｆ１５８は、管理装置１４、パーソナル・コンピュータ、及び／又はＵＳＢメモリ等の外部装置に接続され、外部装置とＣＰＵ１６０との間の各種情報の送受信を司る。なお、図３に示す例では、外部Ｉ／Ｆ１５８は、ケーブル２３を介して管理装置１４の外部Ｉ／Ｆ８８に接続されている。
【０１０８】
タッチパネル・ディスプレイ１５６は、ディスプレイ１５６Ａ及びタッチパネル１５４Ａを含む。ディスプレイ８６Ａは、Ｉ／Ｏ１６８に接続されており、ＣＰＵ１６０の制御下で、映像を含む各種情報を表示する。タッチパネル１５４Ａは、透過型のタッチパネルであり、ディスプレイ１５６Ａに重ねられている。
【０１０９】
二次記憶部１６４は、患者情報１６４Ａ及びサーバ側プログラム１６４Ｂを記憶している。
【０１１０】
患者情報１６４Ａは、患者に関する情報である。本実施形態において、患者情報１６４Ａには、患者のプロフィール情報１６４Ａ１（例えば、患者を特定するＩＤ、患者の名前、患者の性別、患者の年齢、身体情報、過去の治療歴、来院状況など現在の患者情報から、疾患のリスクや身体状態など）と、患者に対して行われた検眼情報１６４Ａ２（例えば、角膜屈折力、角膜波面収差、視力、近視/遠視/乱視、視野、眼軸長、眼底写真などの別の検眼機器（屈折力測定器、眼軸長測定器、視力検査器、前眼部測定器、後眼部測定器など）により得られた患者の右眼/左眼に関する情報）と、を含む。
【０１１１】
一例として図４に示すように、ビューワ１７は、主制御部１７Ａ、タッチパネル・ディスプレイ１７Ｂ、受付デバイス１７Ｄ、及び外部Ｉ／Ｆ１７Ｍを備えている。
【０１１２】
主制御部１７Ａは、ＣＰＵ１７Ｈ、一次記憶部１７Ｉ、二次記憶部１７Ｊ、バスライン１７Ｋ、及びＩ／Ｏ１７Ｌを含む。ＣＰＵ１７Ｈ、一次記憶部１７Ｉ、及び二次記憶部１７Ｊは、バスライン１７Ｋを介して接続されている。バスライン１７Ｋには、Ｉ／Ｏ１７Ｌが接続されている。なお、本実施形態では、ＣＰＵ１７Ｈとして単数のＣＰＵを採用しているが、ＣＰＵ１７Ｈに代えて複数のＣＰＵを採用してもよい。
【０１１３】
ＣＰＵ１７Ｈは、ビューワ１７の全体を制御する。一次記憶部１７Ｉは、各種プログラムの実行時のワークエリア等として用いられる揮発性のメモリであり、一次記憶部１７Ｉの一例としては、ＲＡＭが挙げられる。二次記憶部１７Ｊは、ビューワ１７の基本的な動作を制御するプログラム及び各種パラメータ等を記憶する不揮発性のメモリである。二次記憶部１７Ｊの一例としては、ＨＤＤ、ＥＥＰＲＯＭ、又はフラッシュメモリ等が挙げられる。二次記憶部１６４は、ビューワ側プログラム１７Ｊ１を記憶している。
【０１１４】
受付デバイス１７Ｄは、タッチパネル１７Ｅ、キーボード１７Ｆ、及びマウス１７Ｇを含み、タッチパネル１７Ｅ、キーボード１７Ｆ、及びマウス１７Ｇは、Ｉ／Ｏ１７Ｌに接続されている。従って、ＣＰＵ１７Ｈは、タッチパネル１７Ｅ、キーボード１７Ｆ、及びマウス１７Ｇの各々によって受け付けられた各種指示を把握することができる。
【０１１５】
外部Ｉ／Ｆ１７Ｍは、管理装置１４、サーバ装置１５、パーソナル・コンピュータ、及び／又はＵＳＢメモリ等の外部装置に接続され、外部装置とＣＰＵ１７Ｈとの間の各種情報の送受信を司る。なお、図４に示す例では、外部Ｉ／Ｆ１７Ｍは、ケーブル２３を介して管理装置１４の外部Ｉ／Ｆ８８及びサーバ装置１５の外部Ｉ／Ｆ１５８に接続されている。
【０１１６】
タッチパネル・ディスプレイ１７Ｂは、ディスプレイ１７Ｃ及びタッチパネル１７Ｅを含む。ディスプレイ１７Ｃは、Ｉ／Ｏ１７Ｌに接続されており、ＣＰＵ１７Ｈの制御下で、映像を含む各種情報を表示する。タッチパネル１７Ｅは、透過型のタッチパネルであり、ディスプレイ１７Ｃに重ねられている。
【０１１７】
ＣＰＵ１６０は、二次記憶部１６４からサーバ側プログラム１６４Ｂを読み出し、読み出したサーバ側プログラム１６４Ｂを一次記憶部１６２に展開する。そして、ＣＰＵ１６０は、一次記憶部１６２に展開したサーバ側プログラム１６４Ｂを実行する。
【０１１８】
ウエアラブル端末装置１２に含まれる主制御部１１０のＣＰＵ１２０は、端末側プログラム１２４Ａを実行することで、一例として図１４に示すように、制御部１７０及び処理部１７２として動作する。
【０１１９】
処理部１７２は、ＣＰＵ１２０を制御部１７０として動作させるために必要な処理を行う。制御部１７０は、レーザ光が網膜４６Ｒ及び／又は網膜４６Ｌに照射されることで網膜４６Ｒ及び／又は網膜４６Ｌの視野検査が行われるように光学系２７を制御する。
【０１２０】
また、処理部１７２は、本開示の技術に係る第１処理部の一例であり、応答ボタン１９の操作に応じた処理を行う。応答ボタン１９の操作に応じた処理とは、例えば、後述のマーク投影位置情報を一次記憶部１２２に記憶する処理、及び／又は、応答ボタン１９から入力された応答信号に応じて知覚情報を出力する処理を指す。なお、知覚情報とは、患者がレーザ光を視覚的に知覚したことを示す情報を指す。
【０１２１】
更に、処理部１７２は、本開示の技術に係る第２処理部の一例であり、視野検査の進捗状況に関する情報を送信する処理を行う。視野検査の進捗状況に関する情報の送信先は、例えば、管理装置１４であるが、本開示の技術はこれに限定されるものではない。例えば、視野検査の進捗状況に関する情報が、管理装置１４以外のパーソナル・コンピュータ及び／又はサーバ装置などの外部装置に送信されるようにしてもよい。
【０１２２】
管理装置１４に含まれる主制御部８０のＣＰＵ９０は、端末管理プログラム９４Ａを実行することで、一例として図１４に示すように、処理部１８０及び取得部１８２として動作する。また、ＣＰＵ９０は、表示制御プログラム９４Ｂを実行することで、一例として図１４に示すように、処理部１８０及び表示制御部１８４として動作する。
【０１２３】
処理部１８０は、ＣＰＵ９０を取得部１８２及び表示制御部１８４として動作させるために必要な処理を行う。取得部１８２は、視野検査の結果を示す検査結果情報を取得する。検査結果情報の一例としては、後述の視野欠損マップ情報が挙げられる（図９Ｂのステップ２５８Ｖ参照）。
【０１２４】
表示制御部１８４は、視野検査の進捗状況に応じた画面である進捗状況画面１９０（図１３参照）を生成し、生成した進捗状況画面１９０を含む画像を示す画像信号を出力する。ディスプレイ８６Ａは、表示制御部１８４から入力された画像信号に基づいて進捗状況画面１９０を表示する。すなわち、表示制御部１８４は、ディスプレイ８６Ａに対して、進捗状況画面１９０を表示させるように、ディスプレイ８６Ａを制御する。表示制御部１８４は、無線通信部８２，１１２を介してウエアラブル端末装置１２と管理装置１４とが通信を行うことで、ウエアラブル端末装置１２から視野検査の進捗状況を示す進捗状況情報を取得する。表示制御部１８４は、進捗状況情報に基づいて進捗状況画面１９０を生成し、生成した進捗状況画面１９０をディスプレイ８６Ａに対して表示させるようにディスプレイ８６Ａを制御する。
【０１２５】
なお、本実施形態では、一例として図１３に示すように、進捗状況画面１９０は、第１進捗状況画面１９０Ａ、第２進捗状況画面１９０Ｂ、第３進捗状況画面１９０Ｃ、第４進捗状況画面１９０Ｄ、第５進捗状況画面１９０Ｅ、及び第６進捗状況画面１９０Ｆに大別される。すなわち、ディスプレイ８６Ａには、第１進捗状況画面１９０Ａ、第２進捗状況画面１９０Ｂ、第３進捗状況画面１９０Ｃ、第４進捗状況画面１９０Ｄ、第５進捗状況画面１９０Ｅ、及び第６進捗状況画面１９０Ｆが表示される。
【０１２６】
次に、眼科システム１０の本開示の技術に係る部分の作用について説明する。
【０１２７】
先ず、端末管理処理の実行開始の指示が受付デバイス８４によって受け付けられた場合にＣＰＵ９０が端末管理プログラム９４Ａを実行することで実現される端末管理処理について図７Ａ及び図７Ｂを参照して説明する。
【０１２８】
また、以下では、説明の便宜上、少なくとも１名の患者がウエアラブル端末装置１２を適切に装備していることを前提として説明する。
【０１２９】
また、以下では、説明の便宜上、固視標が患者に対して視認可能な状態で提示されていることを前提として説明する。
【０１３０】
図７Ａに示す端末管理処理では、先ず、ステップ２００で、処理部１８０は、受付デバイス８４及び／又はサーバ装置１５によって必要な情報が全て受け付けられたか否かを判定する。ここで言う「必要な情報」とは、検査対象眼指示情報、患者ＩＤ、及びアイウエアＩＤ等の眼科検査に要する情報を指す。検査対象眼指示情報とは、右眼４４Ｒ及び左眼４４Ｌのうちの検査対象の被検眼４４を指示する情報（つまり、右眼４４Ｒ、左眼４４Ｌ、及び両眼の何れが検査対象かを示す情報）を指す。患者ＩＤとは、患者を一意に特定可能な情報を指す。アイウエアＩＤとは、患者に装着されたウエアラブル端末装置１２を一意に特定可能な情報を指す。
【０１３１】
ステップ２００において、受付デバイス８４によって必要な情報が全て受け付けられていない場合は、判定が否定されて、ステップ２０２へ移行する。ステップ２００において、受付デバイス８４によって必要な情報が全て受け付けられた場合は、判定が肯定されて、ステップ２０６へ移行する。
【０１３２】
ステップ２０２で、処理部１８０は、不足情報をディスプレイ８６Ａに対して表示させ、その後、ステップ２０４へ移行する。ここで、不足情報とは、例えば、眼科検査に要する情報として不足している情報が何かを示すメッセージを指す。
【０１３３】
ステップ２０４で、処理部１８０は、端末管理処理に係る終了条件を満足したか否かを判定する。端末管理処理に係る終了条件とは、端末管理処理を終了する条件を指す。端末管理処理に係る終了条件の一例としては、所定時間が経過したとの条件、受付デバイス８４が終了指示を受け付けたとの条件、及び／又は端末管理処理を強制的に終了せざるを得ない不具合がＣＰＵ９０によって検出されたとの条件等が挙げられる。
【０１３４】
ステップ２０４において、端末管理処理に係る終了条件を満足していない場合は、判定が否定されて、ステップ２００へ移行する。ステップ２０４において、端末管理処理に係る終了条件を満足した場合は、判定が肯定されて、端末管理処理を終了する。
【０１３５】
ステップ２０６で、処理部１８０は、患者情報１６４Ａの送信を要求する送信要求情報をサーバ装置１５に送信し、その後、ステップ２０８へ移行する。
【０１３６】
本ステップ２０６の処理が実行されることで、後述のサーバ側処理に含まれるステップ２５６の処理によりサーバ装置１５から患者情報等が送信される。ここで、患者情報等とは、少なくとも患者情報１６４Ａを含む情報を指す。
【０１３７】
ステップ２０８で、処理部１８０は、無線通信部８２によって患者情報等が受信されたか否かを判定する。ステップ２０８において、患者情報等が受信されていない場合は、判定が否定されて、ステップ２１０へ移行する。ステップ２０６において、患者情報等が受信された場合は、判定が肯定されて、ステップ２１２へ移行する。
【０１３８】
ステップ２１０で、処理部１８０は、端末管理処理に係る終了条件を満足したか否かを判定する。ステップ２１０において、端末管理処理に係る終了条件を満足していない場合は、判定が否定されて、ステップ２０８へ移行する。ステップ２１０において、端末管理処理に係る終了条件を満足した場合は、判定が肯定されて、端末管理処理を終了する。
【０１３９】
ステップ２１２で、処理部１８０は、無線通信部８２，１１２を介して制御装置１８と通信を行うことで、アイウエア端末装置１６が患者に正しく装着されているか否かを判定する。ステップ２１２において、アイウエア端末装置１６が患者に正しく装着されていない場合は、判定が否定されて、ステップ２１４へ移行する。ステップ２１２において、アイウエア端末装置１６が患者に正しく装着されている場合は、判定が肯定されて、ステップ２１６へ移行する。なお、アイウエア端末装置１６が患者に正しく装着されているか否かは、装着検出器１３９による検出結果に基づいて判定される。
【０１４０】
ステップ２１４で、処理部１８０は、端末管理処理に係る終了条件を満足したか否かを判定する。ステップ２１４において、端末管理処理に係る終了条件を満足していない場合は、判定が否定されて、ステップ２１２へ移行する。ステップ２１４において、端末管理処理に係る終了条件を満足した場合は、判定が肯定されて、端末管理処理を終了する。
【０１４１】
ステップ２１６で、処理部１８０は、制御装置１８と無線通信を行うことで、右眼用インカメラ４８Ｒ及び左眼用インカメラ４８Ｌに対して、被検眼４４の前眼部の撮影を開始させ、その後、ステップ２１７へ移行する。
【０１４２】
以下では、説明の便宜上、右眼用インカメラ４８Ｒによって右眼４４Ｒの前眼部が撮影されて得られた画像を右眼前眼部画像と称し、左眼用インカメラ４８Ｌによって左眼４４Ｌの前眼部が撮影されて得られた画像を左眼前眼部画像と称する。また、以下では、説明の便宜上、右眼前眼部画像及び左眼前眼部画像を区別して説明する必要がない場合、単に「前眼部画像」と称する。
【０１４３】
なお、本実施形態において、左眼用インカメラ４８Ｌによる左眼４４Ｌの前眼部の撮影、及び右眼用インカメラ４８Ｒによる右眼４４Ｒの前眼部の撮影は、６０ｆｐｓ（フレーム／秒）のフレームレートで行われる。すなわち、左眼用インカメラ４８Ｌ及び右眼用インカメラ４８Ｒを作動させることにより、被検眼４４の前眼部を被写体とした動画像が処理部１８０によって取得される。
【０１４４】
ステップ２１７で、処理部２１７は、調整指示情報をウエアラブル端末装置１２に送信し、その後、ステップ２１８へ移行する。ここで、調整指示情報とは、反射ミラー４２の位置の調整、レーザ光の光軸の補正、及び原点出しをウエアラブル端末装置１２に指示する情報を指す。
【０１４５】
ステップ２１８（図７Ｂ参照）で、処理部１８０は、制御装置１８と無線通信を行うことで、スピーカ１４０に対してテスト用の音声を出力させ、スピーカ１４０の音声が良好か否かを判定する。テスト用の音声とは、例えば、「音が聞こえたら応答ボタンを押して下さい」等の音声を指す。従って、例えば、スピーカ１４０の音声が良好か否かは、スピーカ１４０からテスト用の音声が出力されている間に、患者によって応答ボタン１９が押されたか否かによって判定される。
【０１４６】
ステップ２１８において、スピーカ１４０の音声が良好でない場合は、判定が否定されて、ステップ２２０へ移行する。ステップ２１８において、スピーカ１４０の音声が良好の場合は、判定が肯定されて、ステップ２２２へ移行する。
【０１４７】
ステップ２２０で、処理部１８０は、端末管理処理に係る終了条件を満足したか否かを判定する。ステップ２２０において、端末管理処理に係る終了条件を満足していない場合は、判定が否定されて、ステップ２１８へ移行する。ステップ２２０において、端末管理処理に係る終了条件を満足した場合は、判定が肯定されて、端末管理処理を終了する。
【０１４８】
ステップ２２２で、処理部１８０は、受付デバイス８４によって視野検査指示が受け付けられたか否かを判定する。視野検査指示とは、ウエアラブル端末装置１２に対して後述の視野検査処理を実行させる指示を指す。
【０１４９】
ステップ２２２において、受付デバイス８４によって視野検査指示が受け付けられていない場合は、判定が否定されて、ステップ２２４へ移行する。ステップ２２２において、受付デバイス８４によって視野検査指示が受け付けられた場合は、判定が肯定されて、ステップ２２６へ移行する。
【０１５０】
ステップ２２４で、処理部１８０は、端末管理処理に係る終了条件を満足したか否かを判定する。ステップ２２４において、端末管理処理に係る終了条件を満足していない場合は、判定が否定されて、ステップ２２２へ移行する。ステップ２２４において、端末管理処理に係る終了条件を満足した場合は、判定が肯定されて、端末管理処理を終了する。
【０１５１】
ステップ２２６で、処理部１８０は、本開示の技術の一例である視野検査指示情報をウエアラブル端末装置１２に送信し、その後、ステップ２２８へ移行する。なお、視野検査指示情報とは、ウエアラブル端末装置１２に対して後述の視野検査処理（図９Ａ及び図９Ｂ）の実行を指示する情報を指す。また、視野検査指示情報には、ステップ２００において受け付けられた必要な情報と、ステップ２０８において無線通信部８２によって受信された患者情報等とが含まれる。
【０１５２】
本実施形態では、端末側プログラム１２４Ａに視野検査用の複数のマーク投影位置情報が組み込まれている。マーク投影位置情報とは、網膜４６にマークを投影する位置（以下、「マーク投影位置」又は「投影位置」とも言う）を示す情報を指す。ここで言う「マーク」とは、例えば、正常な網膜４６であれば白色点として知覚されるマークを指す。網膜４６へのマークの投影は、レーザ光の照射により実現される。
【０１５３】
また、マークの投影位置情報とともにレーザ光の明るさ(強度)を示す情報を組み合わせて、マーク投影情報を視野検査用に保持しておいてもよい。投影位置と明るさ情報とが組み合わされることにより、網膜の感度の情報を視野検査で得ることが可能となる。
【０１５４】
また、端末側プログラム１２４Ａ内の複数のマーク投影位置情報は、制御装置１８の制御部１７０によってスキャナ２８の制御に用いられる。すなわち、スキャナ２８が制御部１７０によって複数のマーク投影位置情報に従って制御されることで、複数のマーク投影位置情報の各々により示される位置（マーク投影位置情報に従った投影位置）にレーザ光が照射される。
【０１５５】
ステップ２２８で、取得部１８２は、ウエアラブル端末装置１２から送信される視野欠損マップ情報が無線通信部８２によって受信されたか否かを判定する。なお、視野欠損マップ情報は、後述の端末側処理に含まれるステップ２６０の処理が処理部１７２によって実行されることでウエアラブル端末装置１２から送信される。
【０１５６】
ステップ２２８において、ウエアラブル端末装置１２から送信される視野欠損マップ情報が無線通信部８２によって受信されていない場合は、判定が否定されて、ステップ２３０へ移行する。ステップ２２８において、ウエアラブル端末装置１２から送信される視野欠損マップ情報が無線通信部８２によって受信された場合は、判定が肯定されて、ステップ２３２へ移行する。
【０１５７】
ステップ２３０で、処理部１８０は、端末管理処理に係る終了条件を満足したか否かを判定する。ステップ２３０において、端末管理処理に係る終了条件を満足していない場合は、判定が否定されて、ステップ２２８へ移行する。ステップ２３０において、端末管理処理に係る終了条件を満足した場合は、判定が肯定されて、端末管理処理を終了する。
【０１５８】
ステップ２３２で、取得部１８２は、ステップ２２８において無線通信部８２によって受信された視野欠損マップ情報を取得し、その後、ステップ２３４へ移行する。
【０１５９】
ステップ２３４で、処理部１８０は、制御装置１８と無線通信を行うことで、右眼用インカメラ４８Ｒ及び左眼用インカメラ４８Ｌに対して、被検眼４４の前眼部の撮影を終了させ、その後、ステップ２３６へ移行する。
【０１６０】
ステップ２３６で、処理部１８０は、ステップ２３２で取得部１８２によって取得された視野欠損マップ情報をサーバ装置１５に送信し、その後、端末管理処理を終了する。なお、管理装置１４の処理部１８０と表示制御部１８４とによって、ウエアラブル端末装置１２から送信される情報に基づいて、適宜、図１３に示す進捗状況画面１９０の表示内容が更新され、表示内容が更新された進捗状況画面１９０がディスプレイ８６Ａに表示される。
【０１６１】
次に、ウエアラブル端末装置１２の主電源（図示省略）が投入された場合にＣＰＵ１２０が端末側プログラム１２４Ａを実行することで実現される端末側処理について図８を参照して説明する。
【０１６２】
図８に示す端末側処理では、ステップ２５０で、処理部１７２は、管理装置１４からの視野検査指示情報が無線通信部１１２によって受信されたか否かを判定する。ステップ２５０において、管理装置１４からの視野検査指示情報が無線通信部１１２によって受信されていない場合は、判定が否定されて、ステップ２５２へ移行する。ステップ２５０において、管理装置１４からの視野検査指示情報が無線通信部１１２によって受信された場合は、判定が肯定されて、ステップ２５８へ移行する。
【０１６３】
ステップ２５２で、処理部１７２は、端末管理処理に含まれるステップ２１７の処理が実行されることによって管理装置１４から送信される調整指示情報が無線通信部１１２によって受信されたか否かを判定する。ステップ２５２において、調整指示情報が無線通信部１１２によって受信されていない場合は、判定が否定されて、ステップ２５６へ移行する。ステップ２５２において、調整指示情報が無線通信部１１２によって受信された場合は、判定が肯定されて、ステップ２５４へ移行する。
【０１６４】
ステップ２５４で、制御部１７０は、反射ミラー４２の位置の調整、レーザ光の光軸の補正、及び原点出しを行った後、ステップ２５６へ移行する。
【０１６５】
ステップ２５４では、反射ミラー４２の位置の調整、レーザ光の光軸の補正、及び原点出しを行うために、先ず、最新の右眼前眼部画像と最新の左眼前眼部画像とに基づいて瞳孔間距離が制御部１７０によって検出される。そして、ウエアラブル端末装置１２のアイウエアＩＤ及び検出された瞳孔間距離等に基づいて、制御部１７０によって、反射ミラー４２の位置の調整、レーザ光の光軸の補正、及び原点出しが行われる。なお、ここで、瞳孔間距離とは、右眼前眼部画像により示される右眼４４Ｒの前眼部内の瞳孔と左眼前眼部画像により示される左眼４４Ｌの前眼部内の瞳孔との間の距離を指す。また、反射ミラー４２の位置は、ミラー駆動源７２が制御部１７０によって制御されることで調整される。また、レーザ光の光軸の補正及び原点出しは、スキャナ２８が制御部１７０によって制御されることで実現される。
【０１６６】
ステップ２５６で、処理部１７１は、端末側処理に係る終了条件を満足したか否かを判定する。端末側処理に係る終了条件とは、端末側処理を終了する条件を指す。端末側処理に係る終了条件の一例としては、所定時間が経過したとの条件、管理装置１４から終了指示を示す情報を受信したとの条件、及び／又は端末側処理を強制的に終了せざるを得ない不具合がＣＰＵ１２０によって検出されたとの条件等が挙げられる。
【０１６７】
ステップ２５６において、端末側処理に係る終了条件を満足していない場合は、判定が否定されて、ステップ２５０へ移行する。ステップ２５６において、端末側処理に係る終了条件を満足した場合は、判定が肯定されて、端末側処理を終了する。
【０１６８】
ステップ２５８で、制御部１７０は、一例として図９Ａ及び図９Ｂに示す視野検査処理を実行し、その後、ステップ２６０へ移行する。
【０１６９】
一例として図９Ａに示すように、視野検査処理では、ステップ２５８Ａで、制御部１７０は、視野検査指示情報に含まれる前述の必要な情報内の検査対象眼指示情報に基づいて、シャッタ１２１を移動させる必要があるか否かを判定する。
【０１７０】
ステップ２５８Ａにおいて、シャッタ１２１を移動させる必要がない場合は、判定が否定されて、ステップ２５８Ｃへ移行する。ステップ２５８Ａにおいて、シャッタ１２１を移動させる必要がある場合は、判定が肯定されて、ステップ２５８Ｂへ移行する。
【０１７１】
ステップ２５８Ｂで、制御部１７０は、視野検査指示情報に含まれる前述の必要な情報内の検査対象眼指示情報に基づいてシャッタ１２１を移動させ、その後、ステップ２５８Ｃへ移行する。
【０１７２】
ステップ２５８Ｃで、制御部１７０は、光管理部１１４及び光学系２７に対して、検査対象眼の網膜４６へのレーザ光による走査を開始させ、その後、ステップ２５８Ｄへ移行する。
【０１７３】
ステップ２５８Ｄで、制御部１７０は、端末側プログラム１２４Ａ内の複数のマーク投影位置情報のうちの１つのマーク投影位置情報により示される位置にレーザ光が到達したか否かを判定する。なお、本ステップ２５８Ｄでは、「１つのマーク投影位置情報」として、ステップ２５８Ｍにおいて判定が肯定された場合、再び同じマーク投影位置情報が用いられる。また、本ステップ２５８Ｄでは、「１つのマーク投影位置情報」として、ステップ２５８Ｎにおいて判定が否定された場合、複数のマーク投影位置情報のうちの未使用のマーク投影位置情報が用いられる。
【０１７４】
本実施形態では、本ステップ２５８Ｄにおいて複数のマーク投影位置情報が用いられる順序は予め定められているが、本開示の技術はこれに限定されるものではない。例えば、管理装置１４を介して医療サービス者によって指示されたマーク投影位置情報が本ステップ２５８Ｄで用いられるようにしてもよい。また、本ステップ２５８Ｄで用いられるマーク投影位置情報の順序が、管理装置１４を介して医療サービス者によって変更されるようにしてもよい。
【０１７５】
ステップ２５８Ｄにおいて、端末側プログラム１２４Ａ内の複数のマーク投影位置情報のうちの１つのマーク投影位置情報により示される位置にレーザ光が到達していない場合は、判定が否定されて、ステップ２５８Ｅへ移行する。ステップ２５８Ｄにおいて、複数のマーク投影位置情報のうちの１つのマーク投影位置情報により示される位置にレーザ光が到達した場合は、判定が肯定されて、ステップ２５８Ｆへ移行する。
【０１７６】
ステップ２５８Ｅにおいて、制御部１７０は、端末側処理に係る終了条件を満足したか否かを判定する。ステップ２５８Ｅにおいて、端末側処理に係る終了条件を満足していない場合は、判定が否定されて、ステップ２５８Ｄへ移行する。ステップ２５８Ｅにおいて、端末側処理に係る終了条件を満足した場合は、判定が肯定されて、端末側処理を終了する。
【０１７７】
ステップ２５８Ｆで、制御部１７０は、光源制御回路１１５を介してレーザ光源ユニット１１３を制御することで、網膜４６に対してマークを投影させ、その後、ステップ２５８Ｇへ移行する。なお、マークが投影される位置は、ステップ２５８Ｄで用いられた最新のマーク投影位置情報により示される位置である。
【０１７８】
ステップ２５８Ｇで、制御部１７０は、応答ボタン１９が押されたか否かを判定する。なお、応答ボタン１９が押されたか否かは、応答ボタン１９から応答信号が入力されたか否かによって判定される。
【０１７９】
ステップ２５８Ｇにおいて、応答ボタン１９が押されていない場合は、判定が否定されて、ステップ２５８Ｈへ移行する。ステップ２５８Ｇにおいて、応答ボタン１９が押された場合は、判定が肯定されて、ステップ２５８Ｊへ移行する。
【０１８０】
ステップ２５８Ｊで、制御部１７０は、最新のマーク投影位置情報を一次記憶部１２２に記憶し、その後、ステップ２５８Ｋへ移行する。ここで、最新のマーク投影位置情報とは、ステップ２５８Ｄで用いられた最新のマーク投影位置情報を指し、換言すると、応答ボタン１９が押されたタイミングで網膜４６に投影されているマークに関するマーク投影位置情報を指す。
【０１８１】
ステップ２５８Ｈで、制御部１７０は、ステップ２５８Ｆの処理が実行されてから予め定められた時間（例えば、２秒）が経過したか否かを判定する。ステップ２５８Ｈにおいて、ステップ２５８Ｆの処理が実行されてから予め定められた時間が経過していない場合は、判定が否定されて、ステップ２５８Ｇへ移行する。ステップ２５８Ｈにおいて、ステップ２５８Ｆの処理が実行されてから予め定められた時間が経過した場合は、判定が肯定されて、ステップ２５８Ｉへ移行する。
【０１８２】
ステップ２５８Ｉで、制御部１７０は、端末側処理に係る終了条件を満足したか否かを判定する。ステップ２５８Ｉにおいて、端末側処理に係る終了条件を満足していない場合は、判定が否定されて、ステップ２５８Ｋへ移行する。ステップ２５８Ｉにおいて、端末側処理に係る終了条件を満足した場合は、判定が肯定されて、端末側処理を終了する。
【０１８３】
ステップ２５８Ｋで、制御部１７０は、患者の視線が固視標からずれているか否かを判定する。患者の視線が固視標からずれているか否かは、最新の前眼部画像に基づいて判定される。
【０１８４】
ステップ２５８Ｋにおいて、患者の視線が固視標からずれている場合は、判定が肯定されて、ステップ２５８Ｌへ移行する。ステップ２５８Ｋにおいて、患者の視線が固視標からずれていない場合は、判定が否定されて、ステップ２５８Ｎへ移行する。
【０１８５】
ステップ２５８Ｌで、制御部１７０は、スピーカ１４０に対して、視線誘導音声を出力させ、その後、ステップ２５８Ｍへ移行する。
【０１８６】
視線誘導音声とは、視線を固視標の方向へ誘導する音声を指す。視線誘導音声は、視線と固視標との位置関係に応じて生成される。視線の位置は、最新の前眼部画像に基づいて特定される。なお、視線誘導音声の一例としては、「固視標を見て下さい。」という内容の音声、又は、「もう少し右側を向いて下さい。」という内容の音声等が挙げられる。
【０１８７】
ステップ２５８Ｍで、制御部１７０は、患者の視線と固視標とのずれが解消されたか否かを判定する。患者の視線と固視標とのずれが解消されたか否かは、最新の前眼部画像に基づいて判定される。
【０１８８】
ステップ２５８Ｍにおいて、患者の視線と固視標とのずれが解消されていない場合は、判定が否定されて、ステップ２５８Ｌへ移行する。ステップ２５８Ｍにおいて、患者の視線と固視標とのずれが解消された場合は、判定が肯定されて、ステップ２５８Ｄへ移行する。
【０１８９】
ステップ２５８Ｎで、制御部１７０は、全てのマーク投影位置にマークが投影されたか否かを判定する。ステップ２５８Ｎにおいて、全てのマーク投影位置にマークが投影されていない場合は、判定が否定されて、ステップ２５８Ｄへ移行する。ステップ２５８Ｎにおいて、全てのマーク投影位置にマークが投影された場合は、判定が肯定されて、図９Ｂに示すステップ２５８Ｒへ移行する。
【０１９０】
ステップ２５８Ｒで、制御部１７０は、視野検査が未実施の検査対象眼があるか否かを判定する。視野検査が未実施の検査対象眼があるか否かは、視野検査指示情報に含まれる前述の必要な情報内の検査対象眼指示情報に基づいて判定される。
【０１９１】
ステップ２５８Ｒにおいて、視野検査が未実施の検査対象眼がある場合は、判定が肯定されて、ステップ２５８Ｓへ移行する。ステップ２５８Ｒにおいて、視野検査が未実施の検査対象眼がない場合は、判定が否定されて、ステップ２５８Ｕへ移行する。
【０１９２】
ステップ２５８Ｓで、制御部１７０は、スピーカ１４０に対して、変更通知音声を出力させ、その後、ステップ２５８Ｔへ移行する。変更通知音声とは、検査対象眼が変更されることを患者に通知する音声を指す。なお、変更通知音声の一例としては、「右眼の視野検査が終わりましたので、次に左眼の視野検査を行います。」という内容の音声が挙げられる。
【０１９３】
ステップ２５８Ｔで、制御部１７０は、光管理部１１４及び光学系２７を制御することで、光管理部１１４及び光学系２７に対して、検査対象眼の網膜４６へのレーザ光による走査を終了させ、その後、ステップ２５８Ｂへ移行する。
【０１９４】
ステップ２５８Ｕで、制御部１７０は、光管理部１１４及び光学系２７を制御することで、光管理部１１４及び光学系２７に対して、検査対象眼の網膜４６へのレーザ光による走査を終了させ、その後、ステップ２５８Ｖへ移行する。
【０１９５】
ステップ２５８Ｖで、制御部１７０は、ステップ２５８Ｊの処理が実行されることで一次記憶部１２２に記憶されたマーク投影位置情報に基づいて視野欠損マップ情報を作成し、その後、視野検査処理を終了する。
【０１９６】
なお、視野欠損マップ情報とは、患者ＩＤ、視野欠損マップを描くための情報、及び視野欠損マップの画像等を含む情報を指す。視野欠損マップとは、患者の視野の欠損箇所を特定可能なマップを指す。図１３に示す第２進捗状況画面１９０Ｂの画像表示領域１９０Ｂ３には、視野欠損マップ２４０が表示されている。視野欠損マップ２４０では、無彩色の濃淡で欠損箇所と正常箇所とが表現されており、主な欠損箇所は、黒色で表示されている。
【０１９７】
図８に示すステップ２６０で、処理部１７２は、視野検査処理に含まれるステップ２５８Ｖ（図９Ｂ参照）の処理が実行されることで作成された視野欠損マップ情報を、無線通信部１１２を介して管理装置１４に送信し、その後、端末側処理を終了する。
【０１９８】
次に、サーバ装置１５の主電源（図示省略）が投入された場合にＣＰＵ１６０がサーバ側プログラム１６４Ｂを実行することで実現されるサーバ側処理について図１０を参照して説明する。
【０１９９】
図１０に示すサーバ側処理では、先ず、ステップ２５０Ａで、ＣＰＵ１６０は、管理装置情報を受信したか否かを判定する。管理装置情報とは、端末管理処理が管理装置１４のＣＰＵ９０によって実行されることでサーバ装置１５に送信された情報を指す。
【０２００】
ステップ２５０Ａにおいて、管理装置情報を受信していない場合は、判定が否定されて、ステップ２５８Ａへ移行する。ステップ２５０Ａにおいて管理装置情報を受信した場合は、判定が肯定されて、ステップ２５２Ａへ移行する。
【０２０１】
ステップ２５２Ａで、ＣＰＵ１６０は、ステップ２５０Ａで受信した管理装置情報が送信要求情報か否かを判定する。ステップ２５２Ａにおいて、ステップ２５０Ａで受信した管理装置情報が送信要求情報でない場合、すなわち、ステップ２５０Ａで受信した管理装置情報が視野欠損マップ情報の場合は、判定が否定されて、ステップ２５４Ａへ移行する。ステップ２５２Ａにおいて、ステップ２５０Ａで受信した管理装置情報が送信要求情報の場合は、判定が肯定されて、ステップ２５６Ａへ移行する。
【０２０２】
ステップ２５４Ａで、ＣＰＵ１６０Ａは、視野欠損マップ情報に基づいて、視野検査の結果を示すレポートである視野検査結果レポートを作成し、作成した視野検査結果レポートを二次記憶部１６４に記憶し、その後、ステップ２５８Ａへ移行する。作成された視野検査結果レポートは、例えば、ビューワ１７等の外部機器から要求があった場合にビューワ１７に送信される。
【０２０３】
ステップ２５６Ａで、ＣＰＵ１６０は、前述した患者情報等を管理装置１４に送信し、その後、ステップ２５８Ａへ移行する。なお、患者情報等に含まれる患者情報１６４Ａは、二次記憶部１６４から取得される。
【０２０４】
ステップ２５８Ａで、ＣＰＵ１６０は、サーバ側処理に係る終了条件を満足したか否かを判定する。サーバ側処理に係る終了条件とは、サーバ側処理を終了する条件を指す。サーバ側処理に係る終了条件の一例としては、所定時間が経過したとの条件、受付デバイス１５４が終了指示を受け付けたとの条件、及び／又はサーバ側処理を強制的に終了せざるを得ない不具合がＣＰＵ１６０によって検出されたとの条件等が挙げられる。
【０２０５】
ステップ２５８Ａにおいて、サーバ側処理に係る終了条件を満足していない場合は、判定が否定されて、ステップ２５０Ａへ移行する。ステップ２５８Ａにおいて、サーバ側処理に係る終了条件を満足した場合は、判定が肯定されて、サーバ側処理を終了する。
【０２０６】
次に、端末管理処理の実行が開始されることでＣＰＵ９０が表示制御プログラム９４Ｂを実行することによって実現される表示制御処理について図１１を参照して説明する。
【０２０７】
以下では、説明の便宜上、図７Ａに示す端末管理処理に含まれるステップ２００の処理が実行されることで、受付デバイス８４によって必要な情報が全て受け付けられていることを前提として説明する。
【０２０８】
また、以下では、説明の便宜上、管理装置１４は最大で６台のウエアラブル端末装置１２を管理することができることを前提として説明する。なお、６台は、あくまでも一例の台数であり、様々な最大管理台数をとることができる。更に、以下では、説明の便宜上、管理装置１４と５台のウエアラブル端末装置１２との通信が確立されている状態であることを前提とし、表示制御処理については、５台のウエアラブル端末装置１２のうちの１台のウエアラブル端末装置１２を例に挙げて説明する。
【０２０９】
図１１に示す表示制御処理では、ステップ４００で、表示制御部１８４は、一例として図１３に示すように、ディスプレイ８６Ａに対して進捗状況画面１９０の表示を開始させ、その後、ステップ４０２へ移行する。
【０２１０】
ステップ４０２で、表示制御部１８４は、装置情報を受信したか否かを判定する。ここで言う「装置情報」とは、ウエアラブル端末装置１２と通信を行うことでウエアラブル端末装置１２の処理部１７１から無線通信部１１２を介して送信された端末情報と、サーバ装置１５と通信を行うことでサーバ装置１５から送信された患者情報等とを指す。端末情報は、ウエアラブル端末装置１２に関する情報である。ここで、ウエアラブル端末装置１２に関する情報とは、例えば、眼科検査の進捗状況に関する情報を指す。眼科検査の進捗状況に関する情報には、最新の前眼部画像と、視野検査の進捗の程度を示す進捗程度情報と、アイウエア端末装置１６が患者に正しく装着されているか否かを示すアイウエア着脱情報と、が含まれる。
【０２１１】
ステップ４０２において、装置情報を受信していない場合は、判定が否定されて、ステップ４１６へ移行する。ステップ４０２において、装置情報を受信した場合は、判定が肯定されて、ステップ４０４へ移行する。
【０２１２】
ステップ４０４で、表示制御部１８４は、受信した装置情報が端末情報か否かを判定する。ステップ４０４において、受信した装置情報が端末情報でない場合、すなわち、受信した装置情報が患者情報１６４Ａの場合は、判定が否定されて、ステップ４１２へ移行する。ステップ４０４において、受信した装置情報が端末情報の場合は、判定が肯定されて、ステップ４０６へ移行する。
【０２１３】
ステップ４０６で、表示制御部１８４は、受信した端末情報に関連する情報が進捗状況画面１９０に表示されているか否かを判定する。ステップ４０６において、受信した端末情報に関連する情報が進捗状況画面１９０に表示されていない場合は、判定が否定されて、ステップ４０８へ移行する。ステップ４０６において、受信した端末情報に関連する情報が進捗状況画面１９０に表示されている場合は、判定が肯定されて、ステップ４１０へ移行する。
【０２１４】
ステップ４０８で、表示制御部１８４は、ディスプレイ８６Ａに対して、端末情報に関連する情報の表示を開始させ、その後、ステップ４１６へ移行する。これにより、進捗状況画面１９０には、端末情報に関連する情報が表示される。
【０２１５】
一例として図１３に示すように、第１進捗状況画面１９０Ａは、端末ＩＤ表示領域１９０Ａ１、進捗状況表示領域１９０Ａ２、前眼部画像表示領域１９０Ａ３、アイウエア着用状況表示領域１９０Ａ４、及び患者情報表示領域１９０Ａ５を有する。端末ＩＤ表示領域１９０Ａ１、進捗状況表示領域１９０Ａ２、前眼部画像表示領域１９０Ａ３、及びアイウエア着用状況表示領域１９０Ａ４には、端末情報に関連する情報が表示され、患者情報表示領域１９０Ａ５には、患者情報１６４Ａが表示される。
【０２１６】
端末ＩＤ表示領域１９０Ａ１には、管理装置１４との通信が確立されている５台のウエアラブル端末装置１２のうちの第１番目のウエアラブル端末装置１２を一意に特定可能な端末ＩＤが表示される。なお、本実施形態では、受信した端末情報に対応するアイウエア端末装置１６のアイウエアＩＤが端末ＩＤとして採用されている。
【０２１７】
進捗状況表示領域１９０Ａ２には、主に視野検査の進行状況が表示される。図１３に示す例では、視野検査対象眼を特定可能な情報として、「視野検査対象：右眼のみ」という内容の情報と、視野検査中の検査対象眼を特定可能な情報として、「右眼：検査中」という内容の情報と、進捗状況の程度を示すインジケータと、が表示されている。進捗状況表示領域１９０Ａ２では、インジケータが検査中の位置を指し示している。
【０２１８】
前眼部画像表示領域１９０Ａ３には、患者情報表示領域１９０Ａ５に表示されている患者情報１６４により特定される患者の最新の前眼部画像が表示される。患者情報表示領域１９０Ａ５に表示されている患者情報１６４Ａにより特定される患者とは、換言すると、端末ＩＤ表示領域１９０Ａ１に表示されている端末ＩＤにより特定されるウエアラブル端末装置１２を現時点で使用している患者を指す。図１３に示す例では、右眼前眼部画像と左眼前眼部画像とが表示されており、検査対象眼でない左眼前眼部画像がグレイアウト表示されている。
【０２１９】
アイウエア着用状況表示領域１９０Ａ４には、アイウエア端末装置１６が患者に装着された状態であるか否かを示す情報が表示される。図１３に示す例では、アイウエア端末装置１６が患者に装着されていることを示す「着用中」という内容の情報が表示されている。また、アイウエア着用状況表示領域１９０Ａ４の背景色は、進捗状況に応じて変化する。例えば、背景色は、白色、黄色、桃色、及び灰色の何れかである。白色は、視野検査前であることを表し、黄色は、視野検査中であることを表し、桃色は、視野検査が完了したことを表し、灰色は、視野検査の検査対象眼が指示されていないことを表す。
【０２２０】
なお、図１３に示す例では、第１進捗状況画面１９０Ａは、端末ＩＤが“ＥＡ”のアイウエア端末装置１６を含むウエアラブル端末装置１２に対応する画面である。また、第２進捗状況画面１９０Ｂは、端末ＩＤが“ＥＣ”のアイウエア端末装置１６を含むウエアラブル端末装置１２に対応する画面である。また、第３進捗状況画面１９０Ｃは、端末ＩＤが“ＹＶ”のアイウエア端末装置１６を含むウエアラブル端末装置１２に対応する画面である。また、第４進捗状況画面１９０Ｄは、端末ＩＤが“ＭＩ”のアイウエア端末装置１６を含むウエアラブル端末装置１２に対応する画面である。更に、第５進捗状況画面１９０Ｅは、端末ＩＤが“ＧＺ”のアイウエア端末装置１６を含むウエアラブル端末装置１２に対応する画面である。
【０２２１】
第２進捗状況画面１９０Ｂは、端末ＩＤ表示領域１９０Ｂ１、進捗状況表示領域１９０Ｂ２、前眼部画像表示領域１９０Ｂ３、アイウエア着用状況表示領域１９０Ｂ４、及び患者情報表示領域１９０Ｂ５を有する。
【０２２２】
図１３に示す例において、端末ＩＤ表示領域１９０Ｂ１には、管理装置１４との通信が確立されている５台のウエアラブル端末装置１２のうちの第２番目のウエアラブル端末装置１２を一意に特定可能な端末ＩＤが表示される。進捗状況表示領域１９０Ｂ２には、「検査完了」という内容の情報が表示されている。また、進捗状況表示領域１９０Ｂ２では、インジケータが検査完了の位置を指し示している。前眼部画像表示領域１９０Ｂ３には、前述したように、視野欠損マップ２４０が表示されている。アイウエア着用状況表示領域１９０Ｂ４には、アイウエア端末装置１６が患者に装着されていないことを示す情報として、「非着用」という内容の情報が表示されている。
【０２２３】
第３進捗状況画面１９０Ｃは、端末ＩＤ表示領域１９０Ｃ１、進捗状況表示領域１９０Ｃ２、前眼部画像表示領域１９０Ｃ３、アイウエア着用状況表示領域１９０Ｃ４、及び患者情報表示領域１９０Ｃ５を有する。
【０２２４】
図１３に示す例において、端末ＩＤ表示領域１９０Ｃ１には、管理装置１４との通信が確立されている５台のウエアラブル端末装置１２のうちの第３番目のウエアラブル端末装置１２を一意に特定可能な端末ＩＤが表示される。進捗状況表示領域１９０Ｃ２には、「右眼：検査中」という内容の情報が表示されている。また、進捗状況表示領域１９０Ｃ２では、インジケータが検査中の位置を指し示している。前眼部画像表示領域１９０Ｃ３には、患者情報表示領域１９０Ｃ５に表示されている患者情報１６４Ａにより特定される患者の前眼部画像が表示されている。また、アイウエア着用状況表示領域１９０Ｃ４には、アイウエア端末装置１６が患者に装着されていることを示す情報として、「非着用」という内容の情報と、「Ｅｒｒｏｒ」という内容の情報とが表示されている。なお、「Ｅｒｒｏｒ」という内容の情報の表示は、後述のステップ４５２のエラー処理が実行されることで実現される。
【０２２５】
第４進捗状況画面１９０Ｄは、端末ＩＤ表示領域１９０Ｄ１、進捗状況表示領域１９０Ｄ２、前眼部画像表示領域１９０Ｄ３、アイウエア着用状況表示領域１９０Ｄ４、及び患者情報表示領域１９０Ｄ５を有する。
【０２２６】
図１３に示す例において、端末ＩＤ表示領域１９０Ｄ１には、管理装置１４との通信が確立されている５台のウエアラブル端末装置１２のうちの第４番目のウエアラブル端末装置１２を一意に特定可能な端末ＩＤが表示される。進捗状況表示領域１９０Ｄ２には、「音声案内中」という内容の情報が表示されている。「音声案内中」とは、例えば、図９Ａに示すステップ２５８Ｌ又は図９Ｂに示すステップ２５８Ｓの処理が実行されることでスピーカ１４０から出力される音声によって患者が案内されている状態を指す。また、前眼部画像表示領域１９０Ｄ３には、患者情報表示領域１９０Ｄ５に表示されている患者情報１６４Ａにより特定される患者の最新の前眼部画像が表示されている。また、アイウエア着用状況表示領域１９０Ｄ４には、アイウエア端末装置１６が患者に装着されていることを示す情報として、「着用中」という内容の情報が表示されている。
【０２２７】
また、図１３に示す例では、端末ＩＤが“ＧＺ”のアイウエア端末装置１６を含むウエアラブル端末装置１２が充電中のため、第５進捗状況画面１９０Ｅには、充電中であることを視覚的に認識可能な情報として「充電中」という内容の情報が表示されている。また、第５進捗状況画面１９０Ｅには、バッテリの容量を示す情報として、「バッテリ８８％」という内容の情報と、バッテリの容量を示すインジケータとが表示されている。
【０２２８】
なお、図１３に示す例では、現時点で管理装置１４に対してウエアラブル端末装置１２が５台しか通信可能な状態で接続されていないので、第６進捗状況画面１９０Ｆが非表示状態になっている。
【０２２９】
図１１に示すステップ４１０で、表示制御部１８４は、ディスプレイ８６Ａに対して、端末情報に関連する情報の表示内容を更新させ、その後、ステップ４１６へ移行する。これにより、端末ＩＤ表示領域１９０Ａ１、進捗状況表示領域１９０Ａ２、前眼部画像表示領域１９０Ａ３、及びアイウエア着用状況表示領域１９０Ａ４の表示内容が更新される。
【０２３０】
例えば、アイウエア端末装置１６が患者から外されると、アイウエア着用状況表示領域１９０Ａ４には、第２進捗状況画面１９０Ｂのアイウエア着用状況表示領域１９０Ｂ４に示すように、「非着用」という内容の情報が表示される。また、後述のステップ４５２のエラー処理が実行されると、第３進捗状況画面１９０Ｃのアイウエア着用状況表示領域１９０Ｃ４に示すように、「Ｅｒｒｏｒ」という内容の情報が表示される。また、視野検査が完了すると、第２進捗状況画面１９０Ｂの進捗状況表示領域１９０Ｂ２に示すように、「検査完了」という内容の情報が表示され、且つ、インジケータが検査完了の位置を指し示す状態になる。更に、スピーカ１４０からの音声による案内中の場合は、第４進捗状況画面１９０Ｄの進捗状況表示領域１９０Ｄ２に示すように、「音声案内中」とう内容の情報が表示される。
【０２３１】
ステップ４１２で、表示制御部１８４は、患者情報６４Ａが非表示状態か否かを判定する。例えば、表示制御部１８４は、端末ＩＤ表示領域１９０Ａ１に表示されている端末ＩＤにより特定されるウエアラブル端末装置１２を使用している患者に関する患者情報６４Ａが患者情報表示領域１９０Ａ５に表示されていないか否かを判定する。
【０２３２】
ステップ４１２において、患者情報６４Ａが非表示状態の場合は、判定が肯定されて、ステップ４１４へ移行する。ステップ４１２において、患者情報６４Ａが非表示状態でない場合、すなわち、患者情報６４Ａが表示されている場合は、判定が否定されて、ステップ４１６へ移行する。
【０２３３】
ステップ４１４で、表示制御部１８４は、ディスプレイ８６Ａに対して患者情報６４Ａの表示を開始させ、その後、ステップ４１６へ移行する。これにより、例えば、端末ＩＤ表示領域１９０Ａ１に表示されている端末ＩＤにより特定されるウエアラブル端末装置１２を使用している患者に関する患者情報６４Ａであれば、患者情報６４Ａは患者情報表示領域１９０Ａ５に表示される。
【０２３４】
ステップ４１６で、表示制御部１８４は、表示制御処理に係る終了条件を満足したか否かを判定する。表示制御処理に係る終了条件とは、表示制御処理を終了する条件を指す。表示制御処理に係る終了条件の一例としては、所定時間が経過したとの条件、受付デバイス８４が終了指示を受け付けたとの条件、及び／又は表示制御処理を強制的に終了せざるを得ない不具合がＣＰＵ９０によって検出されたとの条件等が挙げられる。
【０２３５】
ステップ４１６において、表示制御処理に係る終了条件を満足していない場合は、判定が否定されて、ステップ４０２へ移行する。ステップ４１６において、表示制御処理に係る終了条件を満足した場合は、判定が肯定されて、ステップ４１８へ移行する。
【０２３６】
ステップ４１８で、表示制御部１８４は、ディスプレイ８６Ａに対して進捗状況画面１９０の表示を終了させ、その後、表示制御処理を終了する。
【０２３７】
次に、端末管理処理の実行が開始されることでＣＰＵ９０が通信エラー対応プログラム９４Ｃを実行することによって実現される通信エラー対応処理について図１２を参照して説明する。以下、通信エラー対応処理については、説明の便宜上、図１３に示す進捗状況画面１９０Ｃの端末ＩＤ表示領域１９０Ｃ１に表示されている端末ＩＤにより特定されるウエアラブル端末装置１２、管理装置１４、及びサーバ装置１５を例に挙げて説明する。
【０２３８】
図１２に示す通信エラー対応処理では、ステップ４５０で、表示制御部１８４は、通信エラーが発生したか否かを判定する。ここで言う「通信エラー」とは、例えば、ウエアラブル端末装置１２と管理装置１４との間での通信上のエラー、又は、管理装置１４とサーバ装置１５との間での通信上のエラーを指す。通信上のエラーとは、例えば、意図しないタイミングで通信が切断される現象を指す。
【０２３９】
ステップ４５０において、通信エラーが発生していない場合は、判定が否定されて、ステップ４５４へ移行する。ステップ４５０において、通信エラーが発生した場合は、判定が肯定されて、ステップ４５２へ移行する。
【０２４０】
ステップ４５２で、表示制御部１８４は、エラー処理を実行し、その後、ステップ４５４へ移行する。エラー処理とは、例えば、アイウエア着用状況表示領域１９０Ｃ４に「Ｅｒｒｏｒ」という内容の情報が表示されるようにディスプレイ８６Ａを制御する処理を指す。また、エラー処理の他の例としては、「通信エラーが発生しました」等の音声をスピーカ（図示省略）に対して出力させる処理が挙げられる。
【０２４１】
ステップ４５４で、表示制御部１８４は、通信エラー対応処理に係る終了条件を満足したか否かを判定する。通信エラー対応処理に係る終了条件とは、通信エラー対応処理を終了する条件を指す。通信エラー対応処理に係る終了条件の一例としては、所定時間が経過したとの条件、受付デバイス８４が終了指示を受け付けたとの条件、及び／又は通信エラー対応処理を強制的に終了せざるを得ない不具合がＣＰＵ９０によって検出されたとの条件等が挙げられる。
【０２４２】
ステップ４５４において、通信エラー対応処理に係る終了条件を満足していない場合は、判定が否定されて、ステップ４５０へ移行する。ステップ４５４において、通信エラー処理に係る終了条件を満足した場合は、判定が肯定されて、通信エラー対応処理を終了する。
【０２４３】
次に、ウエアラブル端末装置１２と、管理装置１４と、サーバ装置１５と、ビューワ１７との間での処理の流れについて図１５を参照しながら説明する。
【０２４４】
一例として図１５に示すように、管理装置１４は、患者情報等の送信をサーバ装置１５に要求する（Ｓ１）。サーバ装置１５は、管理装置１４からの要求に応じて患者情報等を管理装置１４に送信する（Ｓ２）。
【０２４５】
管理装置１４は、サーバ装置１５から送信された患者情報等を受信すると、準備処理を実行する（Ｓ３）。ここで、準備処理とは、例えば、図７Ａ及び図７Ｂに示すステップ２１２〜ステップ２２０の処理を指す。管理装置１４は、準備処理中に、各種情報の送信をウエアラブル端末装置１２に対して要求する（Ｓ４）。各種情報とは、例えば、ウエアラブル端末装置１２の動作状況を示す情報等を指す。各種情報としては、例えば、被検眼４４の前眼部の撮影が開始されたか否かを示す情報、瞳孔間距離が検出されたか否かを示す情報、及び／又は応答ボタン１９が押されたか否かを示す情報等を指す。
【０２４６】
ウエアラブル端末装置１２は、管理装置１４からの要求に応じて各種情報を管理装置１４に送信する（Ｓ５）。管理装置１４は、準備処理を完了すると、ウエアラブル端末装置１２に対して視野検査の実行を要求する（Ｓ６）。
【０２４７】
ウエアラブル端末装置１２は、一例として図９Ａ及び図９Ｂに示すように視野検査処理を実行することで、管理装置１４からの要求に応じて検査対象眼に対して視野検査を実行する（Ｓ７）。ウエアラブル端末装置１２は、視野検査の結果を管理装置１４に提供する（Ｓ８）。ここで、「視野検査の結果」とは、例えば、マーク投影位置情報及び知覚情報を指す。なお、「視野検査の結果」は、応答ボタン１９が押されたタイミングで投影されたマークの位置に関するマーク投影位置情報のみであってもよい。
【０２４８】
上記第１実施形態では、一例として図９Ｂに示すように、ウエアラブル端末装置１２が視野欠損マップ情報を作成しているが（図９Ｂのステップ２５８Ｖ参照）、本開示の技術はこれに限定されるものではない。例えば、図１５に示すように、管理装置１４が視野欠損マップ情報を作成してもよい。
【０２４９】
すなわち、図１５に示す例では、管理装置１４が、視野検査の結果に基づいて視野欠損マップ２４０（図１３参照）を作成する（Ｓ９）。このように、管理装置１４にて視野欠損マップ２４０が作成されると、管理装置１４は、作成した視野欠損マップ２４０を含む情報である視野欠損マップ情報をサーバ装置１５に送信する（Ｓ１０）。
【０２５０】
サーバ装置１５は、管理装置１４から送信された視野欠損マップ情報を受信し、受信した視野欠損マップ情報に基づいて視野検査の結果を示す視野検査結果レポートを作成する（Ｓ１１）。また、サーバ装置１５は、作成した視野検査結果レポートを二次記憶部９４に記憶する（Ｓ１２）。そして、サーバ装置１５は、作成した視野検査結果レポートをビューワ１７に送信する（Ｓ１３）。
【０２５１】
なお、ウエアラブル端末装置１２又は管理装置１４によって視野欠損マップ２４０が作成されるだけなく、サーバ装置１５によって視野欠損マップが改めて描画され、視野検査結果レポートが作成されるようにしてもよい。また、例えば、同じ患者（患者ＩＤが同一の患者）の視野欠損マップ情報だけで視野欠損マップが作成されるのではなく、眼底画像上に視野の欠損エリアが重畳表示されたり、３Ｄ−ＯＣＴ画像上に視野の欠損エリアが重畳表示されたりするようにしてもよい。
【０２５２】
ビューワ１７は、視野検査結果レポートを受信し、受信した視野検査結果レポートをディスプレイ１７Ｃに表示する（Ｓ１４）。
【０２５３】
なお、上記のＳ１４に示したビューワ１７による処理は、ＣＰＵ１７Ｈがビューワ側プログラム１７Ｊ１を読み出し、読み出したビューワ側プログラム１７Ｊ１を実行することで実現される処理である。
【０２５４】
ところで、従来は、患者Ａ〜Ｃが来院／受付を済ませてから、視野検査⇒診察⇒眼底撮影の順に処置が行われる場合、１台の据置型の視野検査装置に対して１人の医療サービス者が操作を行って１人ずつの患者に対して順に視野検査を行っていた。そのため、図２４に示す従来例のように、患者Ａ〜Ｃに対してシーケンシャルに処置が進められていた。
【０２５５】
これに対し、本実施形態に係る眼科システム１０では、複数台のウエアラブル端末装置１２が管理装置１４と無線通信可能に接続されており、管理装置１４が複数台のウエアラブル端末装置１２を一元的に管理することができる。そのため、一例として図１６に示すように、患者Ａ〜Ｃに対して１人の医療サービス者がパラレルで視野検査を実施することができる。
【０２５６】
図１６に示す例のように、同時に３人の患者が来院した場合、視野検査⇒診察⇒眼底撮影の順に処置が行われるのに要する総時間（以下、単に「総時間」と称する）が二人目以降は短くなる。以下、より詳細に説明する。
【０２５７】
従来の視野検査装置を使用した場合の一人目の患者についての総時間は“ＴＥＡ”であり、眼科システム１０を使用した場合の一人目の患者についての総時間も“ＴＥＡ”である。しかし、従来の視野検査装置を使用した場合の二人目の患者についての総時間は“ＴＥＢ２”であり、眼科システム１０を使用した場合の二人目の患者についての総時間は“ＴＥＢ１”（＜ＴＥＢ２）である。すなわち、眼科システム１０を使用した場合の二人目の患者は、従来の視野検査装置を使用した場合の二人目の患者に比べ、“ＴＥＢ２−ＴＥＢ１”だけ院内での滞在時間が短い。また、従来の視野検査装置を使用した場合の三人目の患者についての総時間は“ＴＥＣ２”であり、眼科システム１０を使用した場合の三人目の患者についての総時間は“ＴＥＣ１”（＜ＴＥＣ２）である。すなわち、眼科システム１０を使用した場合の三人目の患者は、従来の視野検査装置を使用した場合の三人目の患者に比べ、“ＴＥＣ２−ＴＥＣ１”だけ院内での滞在時間が短い。
【０２５８】
また、眼科システム１０を使用することで、各患者は、従来例よりも診察及び眼科撮影を早く受けることができる。これは、患者にかかる負担を軽減するだけでなく、眼科側にとってもメリットがある。ここで言うメリットとは、従来よりも業務を早く進めることができる、というメリットである。従って、眼科側は、眼科システム１０を使用することで、従来と同じ診療時間内で、従来よりも多くの患者に対して、視野検査⇒診察⇒眼底撮影という一連の処置を施すことが可能となる。
【０２５９】
また、従来の据置型の視野検査装置に対して、ウエアラブル端末装置１２は携帯型なので、設置スペースの確保を必要としない。更に、ウエアラブル端末装置１２が携帯型なので、待合室などで視野検査を行うことができる。よって、ウエアラブル端末装置１２によれば、従来の据置型の視野検査装置を使用する場合に比べ、患者の院内での滞在時間を短くすることができる。
【０２６０】
以上説明したように、ウエアラブル端末装置１２は、レーザ光を網膜４６Ｒ及び／又は網膜４６Ｌに導く光学系２７を備えている。そして、ウエアラブル端末装置１２は、レーザ光が網膜４６Ｒ及び／又は網膜４６Ｌに照射されることで網膜４６Ｒ及び／又は網膜４６Ｌの視野検査が行われるように光学系２７を制御する制御部１７０を備えている。従って、ウエアラブル端末装置１２によれば、視野検査の効率的な実施に寄与することができる。
【０２６１】
また、ウエアラブル端末装置１２は、右眼用光学系２７Ｒと左眼用光学系２７Ｌとを備えている。従って、ウエアラブル端末装置１２によれば、１つのレーザ光源１１４で両眼に対して視野検査を実施することができる。
【０２６２】
また、ウエアラブル端末装置１２は、レーザ光を走査するスキャナ２８と、スキャナ２８により走査されたレーザ光を網膜４６に反射させる反射ミラー４２と、を備えている。従って、ウエアラブル端末装置１２によれば、白内障の患者、すなわち、水晶体が白濁している患者であっても、視野検査に要するレーザ光を視覚的に知覚させることができる。
【０２６３】
また、ウエアラブル端末装置１２は、被検眼４４の前眼部を撮影する右眼用インカメラ４８Ｒ及び左眼用インカメラ４８Ｌを備えている。そして、制御部１７０は、右眼用インカメラ４８Ｒ及び左眼用インカメラ４８Ｌによって撮影されて得られた右眼前眼部画像及び左眼前眼部画像に基づいて瞳孔間距離を検出し、検出した瞳孔間距離に基づいて反射ミラー４２の位置を制御する。従って、ウエアラブル端末装置１２によれば、瞳孔間距離が異なる患者であっても、視野検査を精度良く実施することができる。
【０２６４】
また、ウエアラブル端末装置１２は、レーザ光が網膜４６に照射された場合にレーザ光を患者が知覚したか否かを示す操作を受け付ける応答ボタン１９を備えている。そして、ウエアラブル端末装置１２は、応答ボタン１９によって受け付けられ操作に応じた情報を出力する出力部１７２を備えている。なお、上記第１実施形態では、出力部１７２が知覚情報を管理装置１４に送信している。従って、ウエアラブル端末装置１２によれば、医療サービス者は網膜４６内でのレーザ光の不感位置を容易に把握することができる。
【０２６５】
また、ウエアラブル端末装置１２は、管理装置１４に対して視野検査の管理を行わせるように管理装置１４との間で通信を行う無線通信部１１２を備えている。従って、ウエアラブル端末装置１２によれば、視野検査の管理に関する処理負荷を軽減することができる。
【０２６６】
なお、視野検査の管理は、例えば、視野検査に用いられるレーザ光の管理と、レーザ光が網膜４６に照射されることで、照射されたレーザ光を患者が視覚的に知覚したことを示す知覚情報の管理と、を含む管理である。従って、ウエアラブル端末装置１２は、少なくとも視野検査に用いられるレーザ光の管理と知覚情報の管理とに関する処理負荷を軽減することができる。
【０２６７】
また、管理装置１４は、検査対象眼指示情報と患者情報６４Ａとをウエアラブル端末装置１２に提供する提供部１８０を備えている。そして、管理装置１４は、ウエアラブル端末装置１２と無線通信を行うことで、ウエアラブル端末装置１２から知覚情報を取得する取得部１８２を備えている。従って、管理装置１４によれば、視野検査の効率的な実施に寄与することができる。
【０２６８】
また、管理装置１４は、視野検査の進捗状況に応じた進捗状況画面１９０をディスプレイ８６Ａに対して表示させるようにディスプレイ８６Ａを制御する表示制御部１８４を備えている。従って、ウエアラブル端末装置１２は、医療サービス者に対して視野検査の進捗状況を容易に把握させることができる。
【０２６９】
また、管理装置１４では、提供部１８０が、複数台のウエアラブル端末装置１２の各々と無線通信を行うことで、ウエアラブル端末装置１２の各々に対して検査対象眼指示情報と患者情報６４Ａとを提供する。そして、取得部１８２は、複数台のウエアラブル端末装置１２の各々と無線通信を行うことで、ウエアラブル端末装置１２の各々から知覚情報を取得する。従って、ウエアラブル端末装置１２は、１人の医療サービス者が複数人の患者に対して視野検査を並行して実施することができる。
【０２７０】
［第２実施形態］
上記第１実施形態では、１つの光源からレーザ光が照射される場合について説明したが、本第２実施形態では、２つの光源の各々からレーザ光が照射される場合について説明する。
【０２７１】
なお、本第２実施形態では、上記第１実施形態と同一の構成要素については同一の符号を付し、その説明を省略し、上記第１実施形態と異なる部分について説明する。
【０２７２】
一例として図１７に示すように本第２実施形態に係る眼科システム５００は、眼科システム１０に比べ、ウエアラブル端末装置１２に代えてウエアラブル端末装置５０２を有する点が異なる。
【０２７３】
ウエアラブル端末装置５０２は、ウエアラブル端末装置１２に比べ、制御装置１８に代えて制御装置５０３を有する点、アイウエア端末装置１６に代えてアイウエア端末装置５０６を有する点、及び光分岐部２０を有しない点が異なる。また、ウエアラブル端末装置５０２は、ウエアラブル端末装置１２に比べ、光ファイバ３０，３８，４０を有しない点が異なる。なお、眼科システム５００も、眼科システム１０と同様に、ウエアラブル端末装置５０２を複数台有しており、各々のウエアラブル端末装置５０２は、管理装置１４と無線通信可能な状態で接続される。
【０２７４】
アイウエア端末装置５０６は、アイウエア端末装置１６に比べ、光学系２７に代えて光学系５０７を有する点、スキャナ２８に代えてスキャナ５０８を有する点、
【０２７５】
光学系５０７は、光学系２７に比べ、右眼用光学系２７Ｒに代えて右側用光学系５０７Ｒを有する点、及び左眼用光学系２７Ｌに代えて左側用光学系５０７Ｌを有する点が異なる。また、光学系５０６は、光学系２７に比べ、スキャナ２８に代えてスキャナ５０８を有する点が異なる。
【０２７６】
スキャナ５０８は、スキャナ２８に比べ、右眼用スキャナ２８Ｒに代えて右眼用スキャナ５０８Ｒを有する点、及び左眼用スキャナ２８Ｌに代えて左眼用スキャナ５０８Ｌを有する点が異なる。
【０２７７】
右眼用スキャナ５０８Ｒは、右眼用スキャナ２８Ｒに比べ、右眼用照射部５２に代えて右眼用レーザ光源５１０Ｒを有する点が異なる。右眼用レーザ光源５１０Ｒは、本開示の技術に係る右眼用光源の一例である。右眼用レーザ光源５１０Ｒは、右眼用照射部５２と同様にレーザ光をＭＥＭＳミラー５４に射出する。右眼用レーザ光源５１０Ｒは、右眼用レーザ光源制御回路（図示省略）を介してバスライン３２に接続されており、ＣＰＵ１２０の制御下で作動する。なお、右眼用レーザ光源制御回路は、ＣＰＵ１２０の指示に従って右眼用レーザ光源５１０Ｒを制御するドライバである。
【０２７８】
左眼用スキャナ５０８Ｌは、左眼用スキャナ２８Ｌに比べ、左眼用照射部５８に代えて左眼用レーザ光源５１０Ｌを有する点が異なる。左眼用レーザ光源５１０Ｌは、本開示の技術に係る左眼用光源の一例である。左眼用レーザ光源５１０Ｌは、左眼用照射部５８と同様にレーザ光をＭＥＭＳミラー６０に射出する。左眼用レーザ光源５１０Ｌは、左眼用レーザ光源制御回路（図示省略）を介してバスライン３２に接続されており、ＣＰＵ１２０の制御下で作動する。なお、右眼用レーザ光源制御回路は、ＣＰＵ１２０の指示に従って左眼用レーザ光源５１０Ｌを制御するドライバである。
【０２７９】
一例として図１８に示すように、制御装置５０３は、制御装置１８に比べ、主制御部１１０に代えて主制御部５１０を有する点が異なる。主制御部５１０は、主制御部１１０に比べ、端末側プログラム１２４Ａに代えて端末側プログラム５２４Ａが二次記憶部１２４に記憶されている点が異なる。
【０２８０】
ＣＰＵ１２０は、二次記憶部１２４から端末側プログラム５２４Ａを読み出し、読み出した端末側プログラム５２４Ａを一次記憶部１６２に展開する。そして、ＣＰＵ１２０は、一次記憶部１２２に展開した端末側プログラム５２４Ａを実行する。
【０２８１】
ＣＰＵ１２０は、端末側プログラム５２４Ａを実行することで、一例として図２３に示すように、制御部５７０及び出力部１７２として動作する。
【０２８２】
制御部５７０は、右眼用レーザ光及び／又は左眼用レーザ光の光学系５０７への供給が行われることで網膜４６Ｒ及び／又は網膜４６Ｌの視野検査が行われるように右眼用レーザ光源５１０Ｒ及び左眼用レーザ光源５１０Ｌを制御する。右眼用レーザ光は、本開示の技術に係る右眼用光の一例であり、左眼用レーザ光は、本開示の技術に係る左眼用光の一例である。なお、右眼用レーザ光とは、右眼用レーザ光源５１０Ｒからのレーザ光を指す。左眼用レーザ光とは、左眼用レーザ光源５１０Ｌからのレーザ光を指す。
【０２８３】
なお、本第２実施形態に係るウエアラブル端末装置５０２では、右眼用レーザ光源フラグがオンされた場合に右眼用レーザ光源５１０Ｒの使用が許可され、左眼用レーザ光源フラグがオンされた場合に左眼用レーザ光源５１０Ｌの使用が許可される。以下では、説明の便宜上、右眼用レーザ光源フラグ及び左眼用レーザ光源フラグを区別して説明する必要がない場合、「レーザ光源フラグ」と称する。
【０２８４】
次に、ウエアラブル端末装置５０２の主電源（図示省略）が投入された場合にＣＰＵ１２０が端末側プログラム５２４Ａを実行することで実現される端末側処理について図１９及び図９Ｂを参照して説明する。
【０２８５】
なお、以下では、説明の便宜上、上記第１実施形態に係る端末管理処理と同一の処理については同一のステップ番号を付してその説明を省略する。
【０２８６】
本第２実施形態に係る端末側処理は、上記第１実施形態に係る端末側処理に比べ、ステップ２５８Ａに代えてステップ２５８Ａ１を有する点、及びステップ２５８Ｂに代えてステップ２５８Ｂ１を有する点が異なる。また、本第２実施形態に係る端末側処理は、上記第１実施形態に係る端末側処理に比べ、ステップ２５８Ｃに代えてステップ２５８Ｃ１を有する点、及びステップ２５８Ｕに代えてステップ２５８Ｕ１（図９Ｂ参照）を有する点が異なる。
【０２８７】
図１９に示すステップ２５８Ａ１で、制御部５７０は、視野検査指示情報に含まれる前述の必要な情報内の検査対象眼指示情報に基づいて、現時点でオンされているレーザ光源フラグを変更する必要があるか否かを判定する。
【０２８８】
ステップ２５８Ａ１において、現時点でオンされているレーザ光源フラグを変更する必要がない場合は、判定が否定されて、ステップ２５８Ｃ１へ移行する。ステップ２５８Ａ１において、現時点でオンされているレーザ光源フラグを変更する必要がある場合は、判定が肯定されて、ステップ２５８Ｂ１へ移行する。
【０２８９】
ステップ２５８Ａ１で、制御部５７０は、視野検査指示情報に含まれる前述の必要な情報内の検査対象眼指示情報に基づいて、レーザ光源フラグの変更を行い、その後、ステップ３０８へ移行する。ここで、「レーザ光源フラグの変更」とは、オンされているレーザ光源フラグをオフしたり、オフされているレーザ光源フラグをオンしたりすることを指す。
【０２９０】
例えば、網膜４６Ｒに対してレーザ光による走査が行われる場合、右眼用レーザ光源フラグをオンし、左眼用レーザ光源フラグをオフする。また、網膜４６Ｌに対してレーザ光による走査が行われる場合、左眼用レーザ光源フラグをオンし、右眼用レーザ光源フラグをオフする。
【０２９１】
ステップ２５８Ｃ１で、制御部５７０は、右眼用レーザ光源５１０Ｒ及び左眼用レーザ光源５１０Ｌのうち、現時点でオン状態のレーザ光源フラグに対応するレーザ光源からのレーザ光の照射を開始させることで、網膜４６に対するレーザ光による走査を開始させる。例えば、現時点で右眼用レーザ光源フラグがオンされている場合、右眼用レーザ光源５１０Ｒからの右眼用レーザ光の照射を開始させることで、網膜４６Ｒに対する右眼用レーザ光による走査を開始させる。また、例えば、現時点で左眼用レーザ光源フラグがオンされている場合、左眼用レーザ光源５１０Ｌからの左眼用レーザ光の照射を開始させることで、網膜４６Ｌに対する左眼用レーザ光による走査を開始させる。
【０２９２】
図９Ｂに示すステップ２５８Ｕ１で、制御部５７０は、網膜４６Ｒに対する右眼用レーザ光による走査が行われている場合に、右眼用レーザ光源５１０Ｒを制御することで、右眼用レーザ光源５１０Ｒによる走査を終了させる。また、制御部５７０は、網膜４６Ｌに対する左眼用レーザ光による走査が行われている場合に、左眼用レーザ光源５１０Ｌを制御することで、左眼用レーザ光源５１０Ｌによる走査を終了させる。
【０２９３】
以上説明したように、ウエアラブル端末装置５０２は、右眼用レーザ光を網膜４６Ｒに導き、且つ、左眼用レーザ光を網膜４６Ｌに導く光学系５０７を備えている。そして、ウエアラブル端末装置５０２は、右眼用レーザ光及び／又は左眼用レーザ光の光学系５０７への供給が行われることで網膜４６Ｒ及び／又は網膜４６Ｌの視野検査が行われるように右眼用レーザ光源５１０Ｒ及び左眼用レーザ光源５１０Ｌを制御する制御部５７０を備えている。従って、ウエアラブル端末装置５０２によれば、視野検査の効率的な実施に寄与することができる。
【０２９４】
なお、上記第１実施形態では、アイウエア端末装置１６の外側に制御装置１８及び光分岐部２０が引き出されたウエアラブル端末装置１２を例示したが、本開示の技術はこれに限定されるものではない。例えば、図２０に示すように、眼科システム１０に代えて眼科システム６００を採用してもよい。
【０２９５】
眼科システム６００は、眼科システム１０に比べ、制御装置１８、光分岐部２０、及びケーブル２５，３４，３６を有しない点が異なる。また、眼科システム６００は、眼科システム１０に比べ、アイウエア端末装置１６に代えてアイウエア端末装置６１０を有する点が異なる。
【０２９６】
アイウエア端末装置６１０は、制御装置１８に相当する機能を有する装置と、光分岐部２０に相当する機能を有する装置とが一体化されたコントローラ３５２が左側テンプル２４Ｌに収容されている。この場合、ケーブル３４，３６に相当するケーブルもアイウエア端末装置３５０のフレームに収容される。ここで、アイウエア端末装置３５０のフレームとは、例えば、リム２２及びテンプル２４を指す。
【０２９７】
アイウエア端末装置６１０で、応答反応を検出する方法の一例としては、テンプル２４に設けられたタッチセンサ（図示省略）が患者によってタッチされることで応答反応を検出する方法が挙げられる。また、アイウエア端末装置６１０で、応答反応を検出する方法の他の例としては、音声認識装置を用いて応答反応を検出する方法が挙げられる。この場合、例えば、音声認識装置が、患者の「ＹＥＳ」（マーク（光）を感じた場合の意思表示の発話）及び「ＮＯ」（マーク（光）を感じなかった場合の意思表示の発話）を認識することで応答反応を検出する。また、応答ボタン１９だけを別構成にして患者に把持させ、応答ボタン１９による応答結果をアイウエア端末装置６１０に送信するようにしてもよい。
【０２９８】
コントローラ３５２は、右側テンプル２４Ｒに設けられていてもよい。また、制御装置１８に相当する機能を有する装置と、光分岐部２０に相当する機能を有する装置とが別々にアイウエア端末装置３５０のフレームに収容されていてもよい。この場合、ケーブル２５に相当するケーブル、すなわち、制御装置１８に相当する機能を有する装置と、光分岐部２０に相当する機能を有する装置とを接続するケーブルもアイウエア端末装置３５０のフレームに収容される。
【０２９９】
従って、アイウエア端末装置６１０によれば、ケーブル２５，３４，３６及び光分岐部２０が不要になるので、装置全体の小型化に寄与することができる。
【０３００】
なお、上記第２実施形態に係るウエアラブル端末装置５００についても、図２０に示すウエアラブル端末装置６１０のように、ワイヤレスのウエアラブル端末装置にすることが可能である。すなわち、右眼用レーザ光源５１０Ｒ、左眼用レーザ光源５１０Ｌ、光学系５０７、及び制御装置５０３に相当する装置のうちの少なくとも光学系５０７を有するアイウエア端末装置を含むウエアラブル端末装置が採用されてもよい。この場合も、装置全体の小型化に寄与することができる。
【０３０１】
また、上記第１実施形態では、シャッタ１２１を例示したが、本開示の技術はこれに限定されるものではなく、シャッタ１２１に代えて、液晶シャッタ等の光の透過を制御することが可能なデバイスを採用してもよい。
【０３０２】
また、上記各実施形態では、レーザ光を例示したが、本開示の技術はこれに限定されるものではなく、例えば、レーザ光に代えて、スーパールミネッセントダイオード（Ｓｕｐｅｒ  Ｌｕｍｉｎｅｓｃｅｎｔ  Ｄｉｏｄｅ）による光を採用してもよい。
【０３０３】
また、上記各実施形態では、応答ボタン１９を例示したが、本開示の技術はこれに限定されるものではない。例えば、応答ボタン１９に代えてタッチパネル・ディスプレイ、キーボード、又はマウス等を用いてもよい。
【０３０４】
また、上記各実施形態では、ウエアラブル端末装置１２（５０２）で視野欠損マップが作成される場合を例示したが、本開示の技術はこれに限定されるものではない。例えば、図１５に示すように、管理装置１４で視野欠損マップが作成されるようにしてもよい。この場合、例えば、処理部１７１が知覚情報と知覚情報に関連するマーク投影位置情報とを対応付けた対応付け情報を生成し、生成した対応付け情報を、無線通信部１１２を介して管理装置１４に送信し、管理装置１４が対応付け情報に基づいて視野欠損マップを作成するようにしてもよい。なお、知覚情報に関連するマーク投影位置情報とは、応答ボタン１９が押されたタイミングでマークが投影された位置に対応するマーク投影位置情報を指す。また、応答ボタン１９が押されたタイミングでマークが投影された位置に対応するマーク投影位置情報を、処理部１７１が無線通信部１１２を介して管理装置１４に送信し、管理装置１４がマーク投影位置情報に基づいて視野欠損マップを作成するようにしてもよい。
【０３０５】
また、上記各実施形態では、ＭＥＭＳミラー５４，５６，６０，６２を例示したが、本開示の技術はこれに限定されるものではない。例えば、ＭＥＭＳミラー５４，５６，６０，６２に代えて、又は、ＭＥＭＳミラー５４，５６，６０，６２のうちの少なくとも１つと共に、ガルバノミラー及び／又はポリゴンミラー等の、電気的に反射面の位置を制御可能なミラーを用いてもよい。
【０３０６】
また、上記各実施形態では、端末側プログラム１２４Ａ（５２４Ａ）を二次記憶部１２４から読み出す場合を例示したが、必ずしも最初から二次記憶部１２４に記憶させておく必要はない。例えば、図２１に示すように、ＳＳＤ、ＵＳＢメモリ、又はＤＶＤ−ＲＯＭ等の任意の可搬型の記憶媒体７００に先ずは端末側プログラム１２４Ａ（５２４Ａ）を記憶させておいてもよい。この場合、記憶媒体７００の端末側プログラム１２４Ａ（５２４Ａ）がウエアラブル端末装置１２（５０２）にインストールされ、インストールされた端末側プログラム１２４Ａ（５２４Ａ）がＣＰＵ１２０によって実行される。
【０３０７】
また、通信網（図示省略）を介してウエアラブル端末装置１２（５０２）に接続される他のコンピュータ又はサーバ装置等の記憶部に端末側プログラム１２４Ａ（５２４Ａ）を記憶させておき、端末側プログラム１２４Ａ（５２４Ａ）がウエアラブル端末装置１２（５０２）の要求に応じてインストールされるようにしてもよい。この場合、インストールされた端末側プログラム１２４Ａ（５２４Ａ）はＣＰＵ１２０によって実行される。
【０３０８】
また、上記各実施形態では、管理装置側プログラムを二次記憶部９４から読み出す場合を例示したが、必ずしも最初から二次記憶部９４に記憶させておく必要はない。例えば、図２２に示すように、ＳＳＤ、ＵＳＢメモリ、又はＤＶＤ−ＲＯＭ等の任意の可搬型の記憶媒体７５０に先ずは管理装置側プログラムを記憶させておいてもよい。この場合、記憶媒体７５０の管理装置側プログラムが管理装置１４にインストールされ、インストールされた管理装置側プログラムがＣＰＵ９０によって実行される。
【０３０９】
また、通信網（図示省略）を介して管理装置１４に接続される他のコンピュータ又はサーバ装置等の記憶部に管理装置側プログラムを記憶させておき、管理装置側プログラムが管理装置１４の要求に応じてインストールされるようにしてもよい。この場合、インストールされた管理装置側プログラムはＣＰＵ９０によって実行される。
【０３１０】
また、上記実施形態で説明した端末管理処理、端末側処理、サーバ側処理、表示制御処理、及び通信エラー対応処理はあくまでも一例である。従って、主旨を逸脱しない範囲内において不要なステップを削除したり、新たなステップを追加したり、処理順序を入れ替えたりしてもよいことは言うまでもない。
【０３１１】
また、上記実施形態では、コンピュータを利用したソフトウェア構成により端末管理処理、端末側処理、サーバ側処理、表示制御処理、及び通信エラー対応処理が実現される場合を例示したが、本開示の技術はこれに限定されるものではない。例えば、コンピュータを利用したソフトウェア構成に代えて、ＦＰＧＡ又はＡＳＩＣ等のハードウェア構成のみによって、端末管理処理、端末側処理、サーバ側処理、表示制御処理、及び通信エラー対応処理のうちの少なくとも１つの処理が実行されるようにしてもよい。端末管理処理、端末側処理、サーバ側処理、表示制御処理、及び通信エラー対応処理のうちの少なくとも１つの処理がソフトウェア構成とハードウェア構成との組み合わせた構成によって実行されるようにしてもよい。
【０３１２】
つまり、端末管理処理、端末側処理、サーバ側処理、表示制御処理、及び通信エラー対応処理等の各種処理を実行するハードウェア資源としては、例えば、プログラムを実行することで各種処理を実行するハードウェア資源として機能する汎用的なプロセッサであるＣＰＵが挙げられる。また、他のハードウェア資源としては、例えば、専用に設計されたＦＰＧＡ、ＰＬＤ、又はＡＳＩＣなどの回路構成を有するプロセッサである専用電気回路が挙げられる。また、これらのプロセッサのハードウェア的な構造としては、半導体素子などの回路素子を組み合わせた電気回路を用いることができる。各種処理を実行するハードウェア資源は、上述した複数種類のプロセッサのうちの１つであってもよいし、同種または異種の２つ以上のプロセッサの組み合わせであってもよい。
【０３１３】
また、一例として図１４に示す管理装置１４の処理部１８０、取得部１８２、及び表示制御部１８４は、ウエアラブル型の眼科機器ではなく、据置型で両眼を観察することができる視野検査機能を有する装置（例えば、据置型眼科機器）と通信可能に接続された管理装置に対しても適用可能である。つまり、管理装置１４によって実行される処理は、据置型で両眼を観察することができる視野検査機能を有する装置でも実行可能である。
【０３１４】
本明細書において、「Ａ及び／又はＢ」は、「Ａ及びＢのうちの少なくとも１つ」と同義である。つまり、「Ａ及び／又はＢ」は、Ａだけであってもよいし、Ｂだけであってもよいし、Ａ及びＢの組み合わせであってもよい、という意味である。また、本明細書において、３つ以上の事柄を「及び／又は」で結び付けて表現する場合も、「Ａ及び／又はＢ」と同様の考え方が適用される。
【０３１５】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【図１】
2019050048.tif 000003
【図２】
2019050048.tif 000004
【図３】
2019050048.tif 000005
【図４】
2019050048.tif 000006
【図５】
2019050048.tif 000007
【図６】
2019050048.tif 000008
【図７Ａ】
2019050048.tif 000009
【図７Ｂ】
2019050048.tif 000010
【図８】
2019050048.tif 000011
【図９Ａ】
2019050048.tif 000012
【図９Ｂ】
2019050048.tif 000013
【図１０】
2019050048.tif 000014
【図１１】
2019050048.tif 000015
【図１２】
2019050048.tif 000016
【図１３】
2019050048.tif 000017
【図１４】
2019050048.tif 000018
【図１５】
2019050048.tif 000019
【図１６】
2019050048.tif 000020
【図１７】
2019050048.tif 000021
【図１８】
2019050048.tif 000022
【図１９】
2019050048.tif 000023
【図２０】
2019050048.tif 000024
【図２１】
2019050048.tif 000025
【図２２】
2019050048.tif 000026
【図２３】
2019050048.tif 000027
【国際調査報告】
2019050048.tif 000028
2019050048.tif 000029
2019050048.tif 000030
2019050048.tif 000031